(57)【特許請求の範囲】
【請求項１】
画像形成装置、
画像形成装置から出射された光に基づき虚像が形成される虚像形成領域を有する光学装置、及び、
虚像形成領域に対向して、且つ、光学装置と離間して配置され、外部から入射する外光の光量を調整する調光装置、
を備えており、
調光装置は、
外光が入光する透明な保護基板、
光学装置と対向する保護基板の面上に形成された調光層、及び、
調光層上に形成された水分保持層、
を備え、
前記保護基板の縁部は、水蒸気を透過し得る接着剤を介してフレームに固定されている画像表示装置。
【請求項２】
保護基板を構成する材料の水分透過率は１０- 2グラム／ｍ2・日以下である請求項１に記載の画像表示装置。
【請求項３】
調光装置は、
水分保持層の上に配設された水蒸気透過性透明基板、
を更に備えている請求項１に記載の画像表示装置。
【請求項４】
水蒸気透過性透明基板を構成する材料の水分透過率は、保護基板を構成する材料の水分透過率の１０倍以上である請求項３に記載の画像表示装置。
【請求項５】
水蒸気透過性透明基板は、ポリカーボネート樹脂、ポリエチレンテレフタレート樹脂、シクロオレフィン系樹脂、アクリレート系樹脂、ウレタン系樹脂又はスチレン系樹脂から成る請求項３に記載の画像表示装置。
【請求項６】
水分保持層は、エポキシ系樹脂、ポリビニルアルコール及びポリビニルブチラールから成る群から選択された少なくとも１種類の材料から成る請求項１に記載の画像表示装置。
【請求項７】
保護基板と調光層との間には、水蒸気バリア層が設けられている請求項１に記載の画像表示装置。
【請求項８】
水蒸気バリア層は、酸化アルミニウム、酸化ケイ素、窒化ケイ素、酸化ニオブ、塩化ビニリデン、ポリアクリレート及びアルミニウム箔から成る群から選択された少なくとも１種類の材料から成る請求項７に記載の画像表示装置。
【請求項９】
調光層は、エレクトロクロミック材料層を備えている請求項１に記載の画像表示装置。
【請求項１０】
調光層は、第１電極、エレクトロクロミック材料層及び第２ 電極の積層構造を有し、
エレクトロクロミック材料層は、酸化着色層、電解質層及び還元着色層の積層構造を有する請求項９に記載の画像表示装置。
【請求項１１】
保護基板は、ポリエチレンテレフタレート樹脂、ポリカーボネート樹脂又はガラスから成る請求項１に記載の画像表示装置。
【請求項１２】
光学装置は、
画像形成装置から入射された光が内部を全反射により伝播した後、観察者に向けて出射される導光板、
導光板に入射された光が導光板の内部で全反射されるように、導光板に入射された光を偏向する第１偏向手段、及び、
導光板の内部を全反射により伝播した光を偏向して導光板から出射させる第２偏向手段、
を備えており、
第２偏向手段によって光学装置の虚像形成領域が構成される請求項１に記載の画像表示装置。
【請求項１３】
観察者の頭部に装着されるフレーム、及び、
フレームに取り付けられた画像表示装置、
を備えた表示装置であって、
画像表示装置は、
画像形成装置、
画像形成装置から出射された光に基づき虚像が形成される虚像形成領域を有する光学装置、及び、
虚像形成領域に対向して、且つ、光学装置と離間して配置され、外部から入射する外光の光量を調整する調光装置、
を備えており、
調光装置は、
外光が入光する透明な保護基板、
光学装置と対向する保護基板の面上に形成された調光層、及び、
調光層上に形成された水分保持層、
を備え、
前記保護基板の縁部は、水蒸気を透過し得る接着剤を介してフレームに固定されている表示装置。
【請求項１４】
調光装置と光学装置との間の空間は外部と連通している請求項１３に記載の表示装置。
【請求項１５】
外光が入光する透明な保護基板、
保護基板上に形成された調光層、
調光層上に形成された水分保持層、及び、
水分保持層の上又は上方に配設された水蒸気透過性透明基板、
を備え、
前記保護基板の縁部は、水蒸気を透過し得る接着剤を介してフレームに固定されている調光装置。
【請求項１６】
保護基板の外縁と水蒸気透過性透明基板の外縁とは、封止部材によって封止されている請求項１５に記載の調光装置。
【請求項１７】
水蒸気透過性透明基板は、水分保持層の上方に配設されている請求項１５に記載の調光装置。
【発明の詳細な説明】
【技術分野】
【０００１】
本開示は、調光装置、係る調光装置を備えた画像表示装置、及び、係る画像表示装置を備えた表示装置に関し、より具体的には、頭部装着型ディスプレイ（ＨＭＤ，Head Mounted Display）に用いられる表示装置に関する。
【背景技術】
【０００２】
近年、現実の環境（あるいはその一部）に付加情報としてバーチャルな物体や各種情報を電子情報として合成・提示する拡張現実技術（ＡＲ技術：Augmented Reality）が、注目を浴びている。この拡張現実技術を実現するために、視覚情報を提示する装置として、例えば、頭部装着型ディスプレイが検討されている。そして、応用分野として、現実の環境における作業支援が期待されており、例えば、道路案内情報の提供、メンテナンス等を行う技術者に対する技術情報提供等を挙げることができる。特に、頭部装着型ディスプレイは、手がふさがられることがないため、非常に便利である。また、屋外を移動しながら映像や画像を楽しみたい場合にも、視界に映像や画像と外部環境とを同時に捉えることができるため、スムーズな移動が可能となる。【０００３】
画像形成装置によって形成された２次元画像を虚像光学系により拡大虚像として観察者に観察させるための虚像表示装置（表示装置）が周知である。そして、この表示装置において２次元画像に基づく虚像を形成することで、観察者は、外界の像と形成された虚像とを重畳して見ることができる。ところで、表示装置の置かれた周囲の環境が非常に明るい場合や、形成された虚像の内容に依っては、観察者が観察する虚像に十分なコントラストが与えられないといった問題が生じ得る。そこで、このような問題を解決する手段、即ち、調光装置を備えた虚像表示装置（表示装置）が、例えば、特開２０１２−２５２０９１号公報から周知である。【０００４】
然るに、調光装置を構成する調光層をエレクトロクロミック材料から構成し、エレクトロクロミック材料の酸化還元反応によって発生する物質の色変化を応用して光の透過率を変化させる場合、調光層内部において水分が無くなってしまうと調光層に色変化が生じなくなるといった現象が生じる。【０００５】
特開２００７−１０１９４７号公報の請求項１には、透明基板の上に、第一透明導電膜、多孔質状で電子リーク性の固体電解質膜、電子リーク性のエレクトロクロミック膜、第二透明導電膜を順次積層成膜し、第二透明導電膜の上に透明の封止材を介して透明封止基板を貼り合わせて透過型に構成して成るエレクトロクロミック素子が開示されている。そして、更には、封止材は吸湿性を有する封止材であり、封止材の膜厚は５０μｍ以上、好ましくは５０〜５００μｍであるし（同請求項６参照）、吸湿性を有する封止材は、エポキシ樹脂、ＰＶＡ、ＰＶＢのいずれかである（同請求項７参照）。
【先行技術文献】
【特許文献】
【０００６】
【特許文献１】特開２０１２−２５２０９１号公報
【特許文献２】特開２００７−１０１９４７号公報
【発明の概要】
【発明が解決しようとする課題】
【０００７】
特開２００７−１０１９４７号公報に開示された技術において、封止材はＨ2Ｏ，Ｈ+，ＯＨ-を内部保留することができる結果、エレクトロクロミック素子の着色・消色により固体電解質膜から発生するＯ2ガス又はＨ2ガスの一部は、エレクトロクロミック膜及び透明導電膜又は反射膜兼電極膜を透過して、Ｈ2Ｏ，Ｈ+，ＯＨ-を内部保留する封止材内のＨ2Ｏに取り込まれる。それ故、固体電解質膜から発生するＯ2ガス又はＨ2ガスが、固体電解質膜とエレクトロクロミック膜の界面で蓄積され難くなり、固体電解質膜とエレクトロクロミック膜との界面での膜剥離が起こり難くなるとされている。しかしながら、特開２００７−１０１９４７号公報に開示された封止材は、あくまでも、エレクトロクロミック素子の内部において発生するＯ2ガス又はＨ2ガスの一部を取り込むものである。特開２００７−１０１９４７号公報には、エレクトロクロミック素子内部において水分が無くなってしまうとエレクトロクロミック素子に色変化が生じなくなるといった現象の発生抑制のための手段に関して、何ら、言及されていない。【０００８】
従って、本開示の目的は、調光層内部において水分が無くなると調光層に色変化が生じなくなるといった現象の発生抑制を可能とする構成、構造の調光装置、係る調光装置を備えた画像表示装置、及び、係る画像表示装置を備えた表示装置を提供することにある。
【課題を解決するための手段】
【０００９】
上記の目的を達成するための本開示の画像表示装置は、
（ａ）画像形成装置、
（ｂ）画像形成装置から出射された光に基づき虚像が形成される虚像形成領域を有する光学装置、及び、
（ｃ）虚像形成領域に対向して、且つ、光学装置と離間して配置され、外部から入射する外光の光量を調整する調光装置、
を備えており、
調光装置は、
（ｃ−１）外光が入光する透明な保護基板、
（ｃ−２）光学装置と対向する保護基板の面上に形成された調光層、及び、
（ｃ−３）調光層上に形成された水分保持層、
を備えている。【００１０】
上記の目的を達成するための本開示の表示装置は、
（Ａ）観察者の頭部に装着されるフレーム、及び、
（Ｂ）フレームに取り付けられた画像表示装置、
を備えた表示装置であって、
画像表示装置は、
（ａ）画像形成装置、
（ｂ）画像形成装置から出射された光に基づき虚像が形成される虚像形成領域を有する光学装置、及び、
（ｃ）虚像形成領域に対向して、且つ、光学装置と離間して配置され、外部から入射する外光の光量を調整する調光装置、
を備えており、
調光装置は、
（ｃ−１）外光が入光する透明な保護基板、
（ｃ−２）光学装置と対向する保護基板の面上に形成された調光層、及び、
（ｃ−３）調光層上に形成された水分保持層、
を備えている。【００１１】
上記の目的を達成するための本開示の調光装置は、
外光が入光する透明な保護基板、
保護基板上に形成された調光層、
調光層上に形成された水分保持層、及び、
水分保持層の上又は上方に配設された水蒸気透過性透明基板、
を備えている。
【発明の効果】
【００１２】
本開示の調光装置、画像表示装置及び表示装置にあっては、水分保持層が備えられているので、調光装置内において水分が無くなってしまうと調光装置に色変化が生じなくなるといった現象の発生を抑制することができる。尚、本明細書に記載された効果はあくまで例示であって限定されるものでは無く、また、付加的な効果があってもよい。
【図面の簡単な説明】
【００１３】
【図１】図１Ａ及び図１Ｂは、実施例１の画像表示装置及びその変形例の一部分をＸＺ平面で切断したときの模式的な断面図である。
【図２】図２Ａ及び図２Ｂは、実施例１の画像表示装置の変形例の一部分をＸＺ平面で切断したときの模式的な断面図である。
【図３】図３Ａ及び図３Ｂは、実施例１の画像表示装置の変形例の一部分をＸＺ平面で切断したときの模式的な断面図である。
【図４】図４Ａ及び図４Ｂは、実施例１の画像表示装置の変形例の一部分をＸＺ平面で切断したときの模式的な断面図である。
【図５】図５Ａ及び図５Ｂは、実施例１の画像表示装置の変形例の一部分をＸＺ平面で切断したときの模式的な断面図である。
【図６】図６Ａ及び図６Ｂは、実施例１の画像表示装置の変形例の一部分をＸＺ平面で切断したときの模式的な断面図である。
【図７】図７Ａは、調光装置を正面から眺めた模式図であり、図７Ｂは、実施例１の画像表示装置の一部分を矢印Ｂ−Ｂに沿って切断したときの（ＹＺ平面で切断したときの）模式的な断面図である。
【図８】図８Ａ及び図８Ｂは、それぞれ、調光装置の一部分をＸＺ平面で切断したときの模式的な断面図、及び、表示装置を側面から眺めた模式図である。
【図９】図９は、実施例１の画像表示装置の概念図である。
【図１０】図１０は、反射型体積ホログラム回折格子の一部を拡大して示す模式的な断面図である。
【図１１】図１１は、実施例１の表示装置を上方から眺めた模式図である。
【図１２】図１２は、実施例１の表示装置を正面から眺めた模式図である。
【図１３】図１３は、実施例２の画像表示装置の概念図である。
【図１４】図１４は、実施例３の画像表示装置（実施例１の変形例）の概念図である。
【図１５】図１５は、実施例３の画像表示装置（実施例２の変形例）の概念図である。
【図１６】図１６は、実施例４の表示装置における画像表示装置の概念図である。
【図１７】図１７Ａ及び図１７Ｂは、それぞれ、実施例５の表示装置を上方から眺めた模式図、及び、照度センサを制御する回路の模式図である。
【図１８】図１８Ａ及び図１８Ｂは、それぞれ、実施例６の表示装置を上方から眺めた模式図、及び、照度センサを制御する回路の模式図である。
【図１９】図１９は、実施例７の表示装置を上方から眺めた模式図である。
【図２０】図２０は、図１９に示した実施例７の表示装置における光学装置及び調光装置の模式的な正面図である。
【図２１】図２１は、実施例７の別の表示装置を上方から眺めた模式図である。
【図２２】図２２は、実施例８の画像表示装置の概念図である。
【図２３】図２３は、実施例８の画像表示装置の概念図である。
【図２４】図２４は、実施例８の画像表示装置の変形例における光学系を説明する概念図である。
【図２５】図２５Ａ及び図２５Ｂは、実施例９の表示装置における光学装置を上から眺めた模式図である。
【図２６】図２６Ａ及び図２６Ｂは、それぞれ、実施例９の表示装置の変形例における光学装置を上から眺めた模式図、及び、横から眺めた模式図である。
【図２７】図２７Ａ及び図２７Ｂは、実施例１０の調光装置の模式的な断面図である。
【図２８】図２８Ａ及び図２８Ｂは、実施例１０の調光装置の模式的な断面図である。
【図２９】図２９は、調光装置の変形例の模式的な正面図である。
【発明を実施するための形態】
【００１４】
以下、図面を参照して、実施例に基づき本開示を説明するが、本開示は実施例に限定されるものではなく、実施例における種々の数値や材料は例示である。尚、説明は、以下の順序で行う。
１．本開示の調光装置、画像表示装置及び表示装置、全般に関する説明
２．実施例１（本開示の画像表示装置及び表示装置、第１−Ｂ構造の光学装置／第１構成の画像形成装置、本開示の調光装置）
３．実施例２（実施例１の変形、第１−Ｂ構造の光学装置／第２構成の画像形成装置）
４．実施例３（実施例１〜実施例２の変形、第１−Ａ構造の光学装置／第１構成・第２構成の画像形成装置）
５．実施例４（実施例２〜実施例３の変形、第２構造の光学装置／第２構成の画像形成装置）
６．実施例５（実施例１〜実施例４の変形）
７．実施例６（実施例１〜実施例５の変形）
８．実施例７（実施例１〜実施例６の変形）
９．実施例８（実施例１〜実施例７の変形）
１０．実施例９（実施例４の変形）
１１．実施例１０（本開示の調光装置）
１２．その他
【００１５】
〈本開示の調光装置、画像表示装置及び表示装置、全般に関する説明〉
本開示の表示装置において、少なくとも保護基板の縁部はフレーム（具体的には、例えば、リム部）に固定されている形態とすることができる。そして、この場合、保護基板の縁部は、水蒸気を透過し得る接着剤を介してフレーム（具体的には、例えば、リム部）に固定されている形態とすることができる。あるいは又、調光装置と光学装置との間の空間は外部と連通している形態とすることができる。水蒸気を透過し得る接着剤として、水蒸気拡散性の高いシリコーン系やエチレンビニルアルコール系コポリマー、スチレン系ブタジエン等の非極性材料を主剤とした接着剤を挙げることができ、係る接着剤の水分透過率の値として、２×１０グラム／ｍ2・日乃至１．１×１０3グラム／ｍ2・日を例示することができる。尚、水分透過率の測定は、ＪＩＳ  Ｋ７１２９：２００８に基づいて行うことができ、５０ｍｍ×５０ｍｍの試験片に対して、試験温度２５゜Ｃ±０．５゜Ｃ、相対湿度９０±２％の条件下、試験を実施する。測定は乾湿センサを用いて行う。
【００１６】
本開示の調光装置において、保護基板の外縁と水蒸気透過性透明基板の外縁とは、封止部材によって封止されている形態とすることができる。そして、この好ましい形態を含む本開示の調光装置において、水蒸気透過性透明基板は、水分保持層の上方に配設されている形態とすることができる。即ち、水蒸気透過性透明基板と水分保持層との間には空間が存在する形態とすることができる。封止部材は、上述した水蒸気を透過し得る接着剤から構成することができる。あるいは又、水蒸気透過性透明基板と水分保持層との間に存在する空間は外部と連通している形態とすることができ、この場合、封止部材に貫通孔が設けられている形態とすることができる。シール剤とも呼ばれる封止部材として、エポキシ系樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の各種樹脂を用いることができる。
【００１７】
本開示の画像表示装置、あるいは又、上記の好ましい形態を含む本開示の表示装置を構成する画像表示装置、あるいは又、上記の好ましい形態を含む本開示の調光装置（以下、これらを総称して、『本開示の画像表示装置等』と呼ぶ場合がある）において、保護基板を構成する材料の水分透過率は１０-2グラム／ｍ2・日以下である形態とすることができる。保護基板を構成する材料の水分透過率の測定、あるいは又、後述する水蒸気透過性透明基板を構成する材料の水分透過率の測定は、上記のＪＩＳ規格に基づいて行うことができる。
【００１８】
更には、上記の好ましい形態を含む本開示の画像表示装置、上記の好ましい形態を含む本開示の表示装置において、調光装置は、
（ｃ−４）水分保持層の上に配設された水蒸気透過性透明基板、
を更に備えている形態とすることができる。そして、この場合、水蒸気透過性透明基板を構成する材料の水分透過率は、保護基板を構成する材料の水分透過率の１０倍以上であることが好ましい。更には、これらの場合、水蒸気透過性透明基板は、ポリカーボネート樹脂、ポリエチレンテレフタレート樹脂、ポリエチレンナフタレート樹脂、シクロオレフィン系樹脂、アクリレート系樹脂、ウレタン系樹脂、スチレン系樹脂、ポリメチルメタクリレート樹脂又はポリイミド樹脂から成る形態とすることができる。
【００１９】
更には、以上に説明した好ましい形態を含む本開示の画像表示装置等において、水分保持層は、エポキシ系樹脂、ポリビニルアルコール及びポリビニルブチラールといったポリビニル系樹脂、水分含有ゲル、多孔質材料から成る群から選択された少なくとも１種類の材料から成る形態とすることができる。水分含有ゲルとして、例えば、ポリアクリル酸ナトリウム及び末端にデンドロン基を有するポリエチレングリコールの混合物を例示することができるし、多孔質材料として有機シラン化合物で表面修飾されたシリカ等を挙げることができる。
【００２０】
更には、以上に説明した好ましい形態を含む本開示の画像表示装置等において、保護基板と調光層との間には、水蒸気バリア層が設けられている形態とすることができる。そして、この場合、水蒸気バリア層は、酸化アルミニウム、酸化ケイ素、窒化ケイ素、酸化ニオブ等の無機材料、塩化ビニリデン、ポリアクリレート等の有機材料、及び、アルミニウム箔から成る群から選択された少なくとも１種類の材料から成る形態とすることができる。水蒸気バリア層の形成は、例えば、ＰＶＤ法やＣＶＤ法、レーザーアブレーション法、原子層堆積法（ＡＬＤ法）に基づき行うことができる。
【００２１】
更には、以上に説明した好ましい形態を含む本開示の画像表示装置等において、調光層は、エレクトロクロミック材料層を備えている形態とすることができる。そして、この場合、調光層は、第１電極、エレクトロクロミック材料層及び第２電極の積層構造を有し、エレクトロクロミック材料層は、還元着色層、電解質層及び酸化着色層の積層構造を有する形態とすることができる。遮光率の制御は、例えば、単純マトリクス方式に基づき行うことができる。即ち、
第１電極は、第１の方向に延びる複数の帯状の第１電極セグメントから構成されており、
第２電極は、第１の方向とは異なる第２の方向に延びる複数の帯状の第２電極セグメントから構成されており、
第１電極セグメントと第２電極セグメントの重複領域（調光装置の遮光率が変化する最小単位領域）に対応する調光装置の部分の遮光率の制御は、第１電極セグメント及び第２電極セグメントに印加する電圧の制御に基づき行われる形態とすることができる。第１の方向と第２の方向とは直交している形態を例示することができる。あるいは又、調光装置の遮光率が変化する最小単位領域の遮光率の制御のために、最小単位領域のそれぞれに薄膜トランジスタ（ＴＦＴ）を設けてもよい。即ち、遮光率の制御をアクティブマトリクス方式に基づき行ってもよい。あるいは又、第１電極及び第２電極の少なくとも一方を所謂ベタ電極（パターニングされていない電極）とすることもできる。
【００２２】
更には、以上に説明した好ましい形態を含む本開示の画像表示装置等において、保護基板は、ソーダライムガラス、白板ガラス等の透明なガラス基板、プラスチック基板、プラスチック・シート、プラスチック・フィルムから成る形態とすることができる。ここで、プラスチックとして、ポリエチレンテレフタレート、ポリエチレンナフタレート、ポリカーボネート、酢酸セルロース等のセルロースエステル、ポリフッ化ビニリデンあるいはポリテトラフルオロエチレンとヘキサフルオロプロピレンとの共重合体等のフッ素ポリマー、ポリオキシメチレン等のポリエーテル、ポリアセタール、ポリスチレン、ポリエチレン、ポリプロピレン、メチルペンテンポリマー等のポリオレフィン、ポリアミドイミドあるいはポリエーテルイミド等のポリイミド、ポリアミド、ポリエーテルサルフォン、ポリフェニレンサルファイド、ポリフッ化ビニリデン、テトラアセチルセルロース、ブロム化フェノキシ、ポリアリレート、ポリスルフォン等を挙げることができる。尚、必要に応じて、前述したとおり、保護基板と調光層との間に水蒸気バリア層を設ければよく、これによって、保護基板は全体として水蒸気を通過させ難くなる。即ち、保護基板は、全体として、水分透過率が１０-2グラム／ｍ2・日以下であることを満足する。保護基板の外面には、有機／無機混合層から成るハードコート層や、フッ素系樹脂から成る反射防止膜を形成してもよい。
【００２３】
更には、以上に説明した好ましい形態を含む本開示の画像表示装置、以上に説明した好ましい形態を含む本開示の表示装置において、光学装置は、
（ｂ−１）画像形成装置から入射された光が内部を全反射により伝播した後、観察者に向けて出射される導光板、
（ｂ−２）導光板に入射された光が導光板の内部で全反射されるように、導光板に入射された光を偏向する第１偏向手段、及び、
（ｂ−３）導光板の内部を全反射により伝播した光を偏向して導光板から出射させる第２偏向手段、
を備えており、
第２偏向手段によって光学装置の虚像形成領域が構成される形態とすることができる。このような光学装置を、便宜上、『第１構造の光学装置』と呼ぶ。尚、「全反射」という用語は、内部全反射、あるいは、導光板内部における全反射を意味する。調光装置の射影像内に第２偏向手段（虚像形成領域）が位置する。
【００２４】
調光装置において遮光率の値を高くする領域は、調光装置の一部の領域であってもよい。即ち、実際に虚像が形成される第２偏向手段の領域（例えば、第２偏向手段の一部の領域）に対向した調光装置の領域の遮光率を制御してもよい。云い換えれば、画像形成装置から出射される光に基づき虚像形成領域の一部分において虚像が形成されるとき、調光装置への虚像の投影像が含まれる調光装置の虚像投影領域（光学装置における虚像形成領域に対応した調光装置の領域）の遮光率が、調光装置の他の領域の遮光率よりも高くなるように、調光装置が制御してもよい。尚、調光装置において虚像投影領域の位置は固定されたものでなく、虚像の形成位置に依存して変化し、また、虚像投影領域の数も、虚像の数（あるいは一連の虚像群の数、ブロック化された虚像群の数等）に依存して変化する形態とすることもできる。
【００２５】
調光装置の動作時、調光装置の他の領域の遮光率は、調光装置への虚像の投影像が含まれる調光装置の虚像投影領域の遮光率を「１」としたとき、例えば、０．９５以下である。あるいは又、調光装置の他の領域の遮光率は、例えば、３０％以下である。一方、調光装置の動作時、調光装置の虚像投影領域の遮光率は、３５％乃至９９％、例えば、８０％とされる。このように、虚像投影領域の遮光率は、一定であってもよいし、表示装置の置かれた環境の照度に依存して変化させてもよい。
【００２６】
光学装置における虚像形成領域の横方向の画素数をＭ0、縦方向の画素数をＮ0としたとき、調光装置の遮光率が変化する最小単位領域の数Ｍ1×Ｎ1は、Ｍ1／Ｍ0＝ｋ，Ｎ1／Ｎ0＝ｋ’としたとき、例えば、Ｍ0＝Ｍ1（即ち、ｋ＝１），Ｎ0＝Ｎ1（即ち、ｋ’＝１）とすることができる。但し、これに限定するものではなく、１．１≦ｋ、好ましくは１．１≦ｋ≦１．５、より好ましくは１．１５≦ｋ≦１．３、１．１≦ｋ’、好ましくは１．１≦ｋ’≦１．５、より好ましくは１．１５≦ｋ’≦１．３を満足する形態とすることができる。ｋの値とｋ’の値とは、同じであってもよいし、異なっていてもよい。
【００２７】
調光装置は、無機又は有機のエレクトロクロミック材料から成るエレクトロクロミック材料層の酸化還元反応によって発生する物質の色変化を応用した光シャッタから成る形態とすることができる。具体的には、調光層は無機又は有機のエレクトロクロミック材料から成るエレクトロクロミック材料層を含む形態とすることができ、前述したとおり、還元着色層、電解質層及び酸化着色層から構成することができる。還元着色層として、酸化タングステン、酸化モリブデン、酸化バナジウム等の無機材料、ビオロゲン誘導体、ポリチオフェン誘導体、プルシアンブルー誘導体等の有機材料を挙げることができるし、電解質層として、酸化タンタル、炭酸プロピレン、イオン液体、イオンポリマー等を挙げることができるし、酸化着色層として、酸化イリジウム系材料、酸化ニッケル、酸化ジルコニウム、リン酸ジルコニウム、水酸化ニッケル、酸化クロム、塩化銅等の無機材料、アミン誘導体、フェナジン、ビオロゲン誘導体等の有機材料、更には、高分子や有機・金属混合物等を挙げることができる。より具体的には、調光層は、例えば、第１電極側から、ＷＯ3層／Ｔａ2Ｏ5層／ＩｒXＳｎ1-XＯ層といった無機エレクトロクロミック材料層の積層構造、あるいは又、ＷＯ3層／Ｔａ2Ｏ5層／ＩｒＯx層といった無機エレクトロクロミック材料層の積層構造を有する形態とすることができる。ＷＯ3層の代わりに、上述したとおり、ＭｏＯ3層やＶ2Ｏ5層を用いることができる。また、ＩｒＯx層の代わりに、上述したとおり、ＺｒＯ2層、リン酸ジルコニウム層を用いることができるし、あるいは又、プルシアンブルー錯体／ニッケル置換プルシアンブルー錯体等を用いることもできる。有機のエレクトロクロミック材料層を構成する材料として、例えば、特開２０１４−１１１７１０号公報や特開２０１４−１５９３８５号公報に開示されたエレクトロクロミック材料を用いることもできる。
【００２８】
第１電極は、パターニングされていてもよいし、パターニングされていなくともよい。第２電極も、パターニングされていてもよいし、パターニングされていなくともよい。第１電極及び第２電極を構成する材料として、透明導電材料、より具体的には、インジウム−スズ複合酸化物（ＩＴＯ，Indium Tin Oxide，ＳｎドープのＩｎ2Ｏ3、結晶性ＩＴＯ及びアモルファスＩＴＯを含む）、フッ素ドープＳｎＯ2（ＦＴＯ）、ＩＦＯ（ＦドープのＩｎ2Ｏ3）、アンチモンドープＳｎＯ2（ＡＴＯ）、ＳｎＯ2、ＺｎＯ（ＡｌドープのＺｎＯやＢドープのＺｎＯを含む）、インジウム−亜鉛複合酸化物（ＩＺＯ，Indium Zinc Oxide）、スピネル型酸化物、ＹｂＦｅ2Ｏ4構造を有する酸化物、ポリアニリン、ポリピロール、ポリチオフェン等の導電性高分子等を挙げることができるが、これらに限定されるものではなく、また、これらを２種類以上組み合わせて用いることもできる。あるいは又、細線状の第１電極及び第２電極を、金、銀、銅、アルミニウム、ニッケル、チタン等の金属、あるいは、合金から構成することができる。第１電極及び第２電極は、真空蒸着法やスパッタリング法等の物理的気相成長法（ＰＶＤ法）、各種化学的気相成長法（ＣＶＤ法）、各種塗布等に基づき形成することができる。電極のパターニングは、エッチング法、リフトオフ法、各種マスクを用いる方法等、任意の方法で行うことができる。
【００２９】
以上に説明した各種好ましい形態を含む本開示の表示装置（以下、これらを総称して、『本開示の表示装置等』と呼ぶ場合がある）において、フレームは、観察者の正面に配置されるフロント部、フロント部の両端に蝶番を介して回動自在に取り付けられた２つのテンプル部、及び、ノーズパッドを備えており、調光装置はフロント部に配設されている形態とすることができる。そして、この場合、光学装置は、調光装置に取り付けられている形態とすることができるし、あるいは又、フロント部に取り付けられている形態とすることができる。更には、これらの場合、フロント部はリム部を有し、調光装置はリム部に嵌め込まれている形態とすることができ、あるいは又、光学装置はリム部に嵌め込まれている形態とすることができる。本開示の表示装置等において、観察者側から、光学装置、調光装置の順に配してもよいし、調光装置、光学装置の順に配してもよい。
【００３０】
本開示の表示装置等において、遮光率は、徐々に変化してもよいし（即ち、連続的に変化してもよいし）、電極の配置状態、形状に依っては、階段状に変化する構成とすることもできるし、一定の値から連続的にあるいは階段状に変化する構成とすることもできる。即ち、調光装置を、色のグラデーションが付いた状態としてもよいし、段階的に色が変化する状態とすることもできるし、一定の色が付いた状態から連続的にあるいは段階的に色が変化する状態とすることもできる。遮光率は、第１電極及び第２電極に印加する電圧によって制御することができる。第１電極と第２電極との間の電位差を制御してもよいし、第１電極に印加する電圧と第２電極に印加する電圧とを独立に制御してもよい。遮光率の調整を行う場合、光学装置にテストパターンを表示してもよい。
【００３１】
本開示の表示装置等において、表示装置の置かれた環境の照度を測定する環境照度測定センサを更に備えており、環境照度測定センサの測定結果に基づき、調光装置の遮光率を制御する形態とすることができる。あるいは又、表示装置の置かれた環境の照度を測定する環境照度測定センサを更に備えており、環境照度測定センサの測定結果に基づき、画像形成装置によって形成される画像の輝度を制御する形態とすることができる。これらの形態を組み合わせてもよい。
【００３２】
あるいは又、外部環境から調光装置を透過した光に基づく照度を測定する透過光照度測定センサを更に備えており、透過光照度測定センサの測定結果に基づき、調光装置の遮光率を制御する形態とすることができる。あるいは又、外部環境から調光装置を透過した光に基づく照度を測定する透過光照度測定センサを更に備えており、透過光照度測定センサの測定結果に基づき、画像形成装置によって形成される画像の輝度を制御する形態とすることができる。透過光照度測定センサは、光学装置よりも観察者側に配置されている形態とすることが望ましい。透過光照度測定センサを、少なくとも２つ、配置し、高遮光率の部分を通過した光に基づく照度の測定、低遮光率の部分を通過した光に基づく照度の測定を行ってもよい。これらの形態を組み合わせてもよい。更には、これらの形態と、上記の環境照度測定センサの測定結果に基づき制御を行う形態とを組み合わせてもよい。
【００３３】
照度センサ（環境照度測定センサ、透過光照度測定センサ）は、周知の照度センサから構成すればよいし、照度センサの制御は周知の制御回路に基づき行えばよい。
【００３４】
調光装置の最高光透過率は５０％以上であり、調光装置の最低光透過率は３０％以下である構成とすることができる。調光装置の最高光透過率の上限値として９９％を挙げることができるし、調光装置の最低光透過率の下限値として１％を挙げることができる。ここで、
（光透過率）＝１−（遮光率）
の関係にある。
【００３５】
調光装置にコネクタを取り付け、調光装置の遮光率（光透過率）を制御するための制御回路（例えば、画像形成装置を制御するための制御装置に含まれている）にこのコネクタ及び配線を介して調光装置を電気的に接続すればよい。
【００３６】
場合によっては、調光装置を通過する光は、調光装置によって所望の色に着色される構成とすることができる。そして、この場合、調光装置によって着色される色は可変である形態とすることができるし、あるいは又、調光装置によって着色される色は固定である形態とすることができる。前者の場合、例えば、赤色に着色される調光装置と、緑色に着色される調光装置と、青色に着色される調光装置とを積層する形態とすればよい。また、後者の場合、調光装置によって着色される色として、限定するものではないが、茶色を例示することができる。
【００３７】
更には、場合によっては、調光装置が着脱自在に配設されている形態とすることができる。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。
【００３８】
光学装置は半透過型（シースルー型）である。具体的には、少なくとも観察者の眼球（瞳）に対向する光学装置の部分を半透過（シースルー）とし、光学装置のこの部分及び調光装置を通して外景を眺めることができる。観察者が、調光装置及び光学装置を通過した光の明るさを観察し、観察者が、スイッチやボタン、ダイアル、スライダ、ノブ等を操作することで手動にて遮光率を制御、調整することができるし、あるいは又、前述した外部環境から調光装置を透過した光に基づく照度を測定する透過光照度測定センサの測定結果に基づき、遮光率を制御、調整することができる。遮光率の制御、調整は、具体的には、第１電極及び第２電極に印加する電圧を制御すればよい。透過光照度測定センサを、少なくとも２つ、配置し、高遮光率の部分を通過した光に基づく照度の測定、低遮光率の部分を通過した光に基づく照度の測定を行ってもよい。表示装置は、画像表示装置を１つ備えていてもよいし（片眼型）、２つ備えていてもよい（両眼型）。画像表示装置を２つ備えている場合、一方の調光装置と他方の調光装置のそれぞれにおいて、第１電極及び第２電極に印加する電圧を調整することで、一方の調光装置における遮光率及び他方の調光装置における遮光率の均等化を図ることができる。一方の調光装置における遮光率及び他方の調光装置における遮光率は、例えば、前述した外部環境から調光装置を透過した光に基づく照度を測定する透過光照度測定センサの測定結果に基づき、制御することができるし、あるいは又、観察者が、一方の調光装置及び光学装置を通過した光の明るさ及び他方の調光装置及び光学装置を通過した光の明るさを観察し、観察者が、スイッチやボタン、ダイアル、スライダ、ノブ等を操作することで手動にて制御、調整することもできる。遮光率の調整を行う場合、光学装置にテストパターンを表示してもよい。
【００３９】
本明細書において、「半透過」という用語を用いる場合があるが、入射する光の１／２（５０％）を透過し、あるいは反射することを意味するのではなく、入射する光の一部を透過し、残部を反射するといった意味で用いている。
【００４０】
第１構造の光学装置において、前述したとおり、第１偏向手段は、導光板に入射された光を反射し、第２偏向手段は、導光板の内部を全反射により伝播した光を、（複数回に亙り）透過、反射する構成とすることができる。そして、この場合、第１偏向手段は反射鏡として機能し、第２偏向手段は半透過鏡として機能する構成とすることができる。このような第１構造の光学装置を、便宜上、『第１−Ａ構造の光学装置』と呼ぶ。
【００４１】
このような第１−Ａ構造の光学装置において、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。あるいは又、第１偏向手段は、例えば、誘電体積層膜が多数積層された多層積層構造体、ハーフミラー、偏光ビームスプリッターから構成することができる。また、第２偏向手段は、誘電体積層膜が多数積層された多層積層構造体や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が、（複数回に亙り）反射又は回折され、導光板から平行光の状態で出射される。
【００４２】
あるいは又、第１偏向手段は、導光板に入射された光を回折反射し、第２偏向手段は、導光板の内部を全反射により伝播した光を回折反射する構成とすることができる。そして、この場合、第１偏向手段及び第２偏向手段は回折格子素子から成る形態とすることができ、更には、回折格子素子は、反射型回折格子素子から成り、あるいは又、透過型回折格子素子から成り、あるいは又、一方の回折格子素子は反射型回折格子素子から成り、他方の回折格子素子は透過型回折格子素子から成る構成とすることができる。反射型回折格子素子として、反射型体積ホログラム回折格子を挙げることができる。反射型体積ホログラム回折格子とは、＋１次の回折光のみを回折反射するホログラム回折格子を意味する。ホログラム回折格子から成る第１偏向手段を、便宜上、『第１回折格子部材』と呼び、ホログラム回折格子から成る第２偏向手段を、便宜上、『第２回折格子部材』と呼ぶ場合がある。また、このような第１構造の光学装置を、便宜上、『第１−Ｂ構造の光学装置』と呼ぶ。
【００４３】
本開示の表示装置等における画像表示装置によって、単色（例えば、緑色）の画像表示を行うことができる。そして、この場合、例えば、画角を例えば二分割（より具体的には、例えば二等分割）して、第１偏向手段は、二分割された画角群のそれぞれに対応する２つの回折格子部材が積層されて成る構成とすることができる。あるいは又、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、ホログラム回折格子から成るＰ層の回折格子層が積層されて成る構成とすることができる。各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、例えば、第１導光板に、赤色の波長帯域（あるいは、波長）を有する光を回折反射させるホログラム回折格子から成る回折格子層から構成された回折格子部材を配し、第２導光板に、緑色の波長帯域（あるいは、波長）を有する光を回折反射させるホログラム回折格子から成る回折格子層から構成された回折格子部材を配し、第３導光板に、青色の波長帯域（あるいは、波長）を有する光を回折反射させるホログラム回折格子から成る回折格子層から構成された回折格子部材を配し、これらの第１導光板、第２導光板及び第３導光板を隙間を開けて積層する構造を採用してもよい。あるいは又、画角を例えば三等分して、第１回折格子部材あるいは第２回折格子部材を、各画角に対応する回折格子層が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。観察者がホログラム回折格子に触れないように、保護部材を配することが好ましい。
【００４４】
第１回折格子部材及び第２回折格子部材を構成する材料として、フォトポリマー材料を挙げることができる。ホログラム回折格子から成る第１回折格子部材及び第２回折格子部材の構成材料や基本的な構造は、従来のホログラム回折格子の構成材料や構造と同じとすればよい。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材（あるいは回折格子層）の表面と干渉縞の成す角度を意味する。第１回折格子部材及び第２回折格子部材を、ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。作製された回折格子層に、必要に応じてエネルギー線を照射することで、回折格子層の物体光及び参照光の照射時に重合せずに残ったフォトポリマー材料中のモノマーを重合させて、定着させてもよい。また、必要に応じて、熱処理を行い、安定化させてもよい。
【００４５】
あるいは又、本開示の表示装置等における画像表示装置において、光学装置は、画像形成装置から出射された光が入射され、観察者の瞳に向かって出射する半透過ミラーから構成されている形態とすることができるし、偏光ビームスプリッター（ＰＢＳ）から構成されている形態とすることができる。半透過ミラーあるいは偏光ビームスプリッターによって光学装置の虚像形成領域が構成される。画像形成装置から出射された光は、空気中を伝播して半透過ミラーあるいは偏光ビームスプリッターに入射する構造としてもよいし、例えば、ガラス板やプラスチック板等の透明な部材（具体的には、後述する導光板を構成する材料と同様の材料から成る部材）の内部を伝播して半透過ミラーあるいは偏光ビームスプリッターに入射する構造としてもよい。半透過ミラーあるいは偏光ビームスプリッターを、この透明な部材を介して画像形成装置に取り付けてもよいし、半透過ミラーあるいは偏光ビームスプリッターを、この透明な部材とは別の部材を介して画像形成装置に取り付けてもよい。このような光学装置を、便宜上、『第２構造の光学装置』と呼ぶ。半透過ミラーとして、第１−Ａ構造の光学装置における第１偏向手段、例えば、合金を含む金属から構成され、光を反射させる光反射膜（一種のミラー）や、回折格子（例えば、ホログラム回折格子膜）から構成することができる。あるいは又、光学装置は、画像形成装置から出射された光が入射され、観察者の瞳に向かって出射されるプリズムから構成されている形態とすることができる。
【００４６】
以上に説明した各種好ましい形態、構成を含む本開示の表示装置等における画像表示装置において、画像形成装置は、２次元マトリクス状に配列された複数の画素を有する形態とすることができる。このような画像形成装置の構成を、便宜上、『第１構成の画像形成装置』と呼ぶ。
【００４７】
第１構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）、半導体レーザ素子等の発光素子から構成された画像形成装置を挙げることができるが、中でも、有機ＥＬ発光素子から構成された画像形成装置（有機ＥＬ表示装置）、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学装置（例えば、導光板）へと導く偏光ビームスプリッターから成る構成とすることができる。光源を構成する発光素子として、赤色発光素子、緑色発光素子、青色発光素子、白色発光素子を挙げることができる。あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、１０２４×７６８、１９２０×１０８０等を例示することができる。第１構成の画像形成装置にあっては、レンズ系（後述する）の前方焦点（画像形成装置側の焦点）の位置に絞りが配置されている形態とすることができ、この絞りが、画像形成装置から画像が出射される画像出射部に該当する。
【００４８】
あるいは又、以上に説明した好ましい形態、構成を含む本開示の表示装置等における画像表示装置において、画像形成装置は、光源、及び、光源から出射された光を走査して画像を形成する走査手段を備えている形態とすることができる。このような画像形成装置を、便宜上、『第２構成の画像形成装置』と呼ぶ。
【００４９】
第２構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）ミラーやガルバノ・ミラーを挙げることができる。第２構成の画像形成装置にあっては、レンズ系（後述する）の前方焦点（画像形成装置側の焦点）の位置にＭＥＭＳミラーやガルバノ・ミラーが配置されている形態とすることができ、これらのＭＥＭＳミラーやガルバノ・ミラーが、画像形成装置から画像が出射される画像出射部に該当する。
【００５０】
第１構造の光学装置を備えた画像表示装置における第１構成の画像形成装置あるいは第２構成の画像形成装置において、レンズ系（出射光を平行光とする光学系）にて複数の平行光とされた光を光学装置（例えば、導光板）に入射させるが、このような、平行光であることの要請は、これらの光が光学装置へ入射したときの光波面情報が、第１偏向手段と第２偏向手段を介して光学装置から出射された後も保存される必要があることに基づく。複数の平行光を生成させるためには、具体的には、上述したとおり、例えば、レンズ系における焦点距離の所（位置）に画像形成装置の光出射部を位置させればよい。レンズ系は、画素の位置情報を光学装置における角度情報に変換する機能を有する。レンズ系として、凸レンズ、凹レンズ、自由曲面プリズム、ホログラムレンズを、単独、若しくは、組み合わせた、全体として正の光学的パワーを持つ光学系を例示することができる。レンズ系と光学装置との間には、レンズ系から不所望の光が出射されて光学装置に入射しないように、開口部を有する遮光部を配置してもよい。
【００５１】
導光板は、導光板の軸線（長手方向、水平方向であり、Ｘ方向に該当する）と平行に延びる２つの平行面（第１面及び第２面）を有している。導光板の幅方向（高さ方向、垂直方向）はＹ方向に該当する。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。第１偏向手段は、導光板の第１面又は第２面上に配置されており、第２偏向手段は、導光板の第１面又は第２面上に配置されている。回折格子部材の干渉縞は、概ねＹ方向と平行に延びる。導光板を構成する材料として、石英ガラスやＢＫ７等の光学ガラス、ソーダライムガラス、白板ガラスを含むガラスや、プラスチック材料（例えば、ＰＭＭＡ、ポリカーボネート樹脂、ポリカーボネート樹脂とアクリル系樹脂の積層構造、アクリル系樹脂、シクロオレフィンポリマー、非晶性のポリプロピレン系樹脂、ＡＳ樹脂を含むスチレン系樹脂）を挙げることができる。導光板の形状は、平板に限定するものではなく、湾曲した形状を有していてもよい。調光装置を湾曲させてもよい。
【００５２】
本開示の表示装置等において、画像形成装置から出射された光が入射される光学装置の領域には、光学装置への外光の入射を遮光する遮光部材が配されている構成とすることができる。画像形成装置から出射された光が入射される光学装置の領域に、光学装置への外光の入射を遮光する遮光部材を配することで、調光装置の作動によって外光の入射光量に変化が生じても、そもそも、画像形成装置から出射された光が入射される光学装置の領域には外光が入射しないので、不所望の迷光等が発生し、表示装置における画像表示品質が低下するといったことが無い。遮光部材の光学装置への射影像内に、画像形成装置から出射された光が入射される光学装置の領域が含まれる形態とすることが好ましい。
【００５３】
あるいは又、本開示の表示装置等において、画像形成装置から出射された光が入射される第１偏向手段の領域には、第１偏向手段への外光の入射を遮光する遮光部材が配置されている構成とすることができる。画像形成装置から出射された光が入射される導光板の領域に、導光板への外光の入射を遮光する遮光部材を配置することで、画像形成装置から出射された光が入射される導光板の領域には外光が入射しないので、不所望の迷光等が発生し、表示装置における画像表示品質が低下するといったことが無い。遮光部材の導光板への正射影像内に、画像形成装置から出射された光が入射される導光板の領域が含まれる形態とすることが好ましい。
【００５４】
遮光部材は、光学装置（導光板）の画像形成装置が配された側とは反対側に、光学装置（導光板）と離間して配されている構成とすることができる。このような構成の表示装置にあっては、遮光部材を、例えば、不透明なプラスチック材料から作製すればよく、このような遮光部材は、画像形成装置の筐体から一体に延び、あるいは又、画像形成装置の筐体に取り付けられ、あるいは又、フレームから一体に延び、あるいは又、フレームに取り付けられている形態とすることができる。あるいは又、遮光部材は、画像形成装置が配された側とは反対側の光学装置（導光板）の部分に配されている構成とすることができるし、遮光部材は、調光装置に配されている構成とすることもできる。不透明な材料から成る遮光部材を、例えば、光学装置（導光板）の面上に物理的気相成長法（ＰＶＤ法）や化学的気相成長法（ＣＶＤ法）に基づき形成してもよいし、印刷法等によって形成してもよいし、不透明な材料（プラスチック材料や金属材料、合金材料等）から成るフィルムやシート、箔を貼り合わせてもよい。遮光部材の光学装置（導光板）への射影像内に、調光装置の端部の光学装置（導光板）への射影像が含まれる構成とすることが好ましい。
【００５５】
本開示の表示装置等において、フレームは、前述したとおり、観察者の正面に配置されるフロント部と、フロント部の両端に蝶番を介して回動自在に取り付けられた２つのテンプル部とから成る構成とすることができる。各テンプル部の先端部にはモダン部が取り付けられている。画像表示装置はフレームに取り付けられているが、具体的には、例えば、画像形成装置をテンプル部に取り付ければよい。また、フロント部と２つのテンプル部とが一体となった構成とすることもできる。即ち、本開示の表示装置等の全体を眺めたとき、フレームは、概ね通常の眼鏡と略同じ構造を有する。パッド部を含むフレームを構成する材料は、金属や合金、プラスチック、これらの組合せといった、通常の眼鏡を構成する材料と同じ材料から構成することができる。更には、フロント部にノーズパッドが取り付けられている構成とすることができる。即ち、本開示の表示装置等の全体を眺めたとき、フレーム（リム部を含む）及びノーズパッドの組立体は、通常の眼鏡と略同じ構造を有する。ノーズパッドも周知の構成、構造とすることができる。
【００５６】
また、本開示の表示装置等にあっては、デザイン上、あるいは、装着の容易性といった観点から、１つあるいは２つの画像形成装置からの配線（信号線や電源線等）が、テンプル部、及び、モダン部の内部を介して、モダン部の先端部から外部に延び、制御装置（制御回路あるいは制御手段）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。また、フロント部の中央部分にカメラ（撮像装置）が取り付けられている形態とすることもできる。カメラは、具体的には、例えば、ＣＣＤあるいはＣＭＯＳセンサから成る固体撮像素子とレンズから構成されている。カメラからの配線は、例えば、フロント部を介して、一方の画像表示装置（あるいは画像形成装置）に接続すればよく、更には、画像表示装置（あるいは画像形成装置）から延びる配線に含ませればよい。
【００５７】
本開示の表示装置にあっては、画像表示装置において画像を表示するための信号（光学装置（例えば、導光板）において虚像を形成するための信号）を外部から受け取る形態とすることができる。このような形態にあっては、画像表示装置において表示する画像に関する情報やデータは、例えば、所謂クラウドコンピュータやサーバーに記録、保管、保存されており、表示装置が通信手段、例えば、携帯電話機やスマートフォンを備えることによって、あるいは又、表示装置と通信手段とを組み合わせることによって、クラウドコンピュータやサーバーと表示装置との間での各種情報やデータの授受、交換を行うことができるし、各種情報やデータに基づく信号、即ち、画像表示装置において画像を表示するための信号（光学装置において虚像を形成するための信号）を受け取ることができる。あるいは又、画像表示装置において画像を表示するための信号（光学装置において虚像を形成するための信号）は表示装置に記憶されている形態とすることができる。画像表示装置において表示される画像には、各種情報や各種データが含まれる。あるいは又、表示装置はカメラ（撮像装置）を備えており、カメラによって撮像された画像を通信手段を介してクラウドコンピュータやサーバーに送出し、クラウドコンピュータやサーバーにおいてカメラによって撮像された画像に該当する各種情報やデータを検索し、検索された各種情報やデータを通信手段を介して表示装置に送出し、検索された各種情報やデータを画像表示装置において画像を表示してもよい。
【００５８】
カメラ（撮像装置）によって撮像された画像を通信手段を介してクラウドコンピュータやサーバーに送出する際、カメラによって撮像される画像を画像表示装置において表示し、光学装置（例えば、導光板）において確認してもよい。具体的には、カメラによって撮像される空間領域の外縁を調光装置において枠状に表示する形態とすることができる。あるいは又、カメラによって撮像される空間領域に対応する調光装置の領域の遮光率を、カメラによって撮像される空間領域の外側に対応する調光装置の領域の遮光率よりも高くする形態とすることができる。このような形態にあっては、観察者には、カメラによって撮像される空間領域は、カメラによって撮像される空間領域の外側よりも暗く見える。あるいは又、カメラによって撮像される空間領域に対応する調光装置の領域の遮光率を、カメラによって撮像される空間領域の外側に対応する調光装置の領域の遮光率よりも低くする形態とすることもできる。このような形態にあっては、観察者には、カメラによって撮像される空間領域は、カメラによって撮像される空間領域の外側よりも明るく見える。そして、これによって、カメラが外部のどこを撮像するかを観察者は、容易に、且つ、確実に認識することができる。
【００５９】
カメラ（撮像装置）によって撮像される空間領域に対応する調光装置の領域の位置を校正することが好ましい。具体的には、表示装置が、例えば、携帯電話機やスマートフォンを備えることによって、あるいは又、表示装置と携帯電話機やスマートフォン、パーソナルコンピュータとを組み合わせることによって、携帯電話機やスマートフォン、パーソナルコンピュータにおいて、カメラによって撮像された空間領域を表示することができる。そして、携帯電話機やスマートフォン、パーソナルコンピュータにおいて表示された空間領域と、カメラによって撮像される空間領域に対応する調光装置の領域との間に差異が存在する場合、調光装置の遮光率（光透過率）を制御するための制御回路（携帯電話機やスマートフォン、パーソナルコンピュータによって代用することもできる）を用いて、カメラによって撮像される空間領域に対応する調光装置の領域を移動・回転させ、あるいは、拡大／縮小することで、携帯電話機やスマートフォン、パーソナルコンピュータにおいて表示された空間領域と、カメラによって撮像される空間領域に対応する調光装置の領域との間の差異を無くせばよい。
【００６０】
以上に説明した種々の変形例を含む本開示の表示装置は、例えば、電子メールの受信・表示、インターネット上の種々のサイトにおける各種情報等の表示、各種装置等の観察対象物の運転、操作、保守、分解時等における各種説明や、記号、符号、印、標章、図案等の表示；人物や物品等の観察対象物に関する各種説明や、記号、符号、印、標章、図案等の表示；動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示に用いることができるし、クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像制御信号が表示装置に送出され、画像が表示装置にて表示される。また、各種装置、人物や物品等の観察対象物に関する各種説明の表示を行うが、カメラによって各種装置、人物や物品等の観察対象物を撮影（撮像）し、表示装置において撮影（撮像）内容を解析することで、予め作成しておいた各種装置、人物や物品等の観察対象物に関する各種説明の表示を表示装置にて行うことができる。
【００６１】
画像形成装置への画像信号には、画像信号（例えば、文字データ）だけでなく、例えば、表示すべき画像に関する輝度データ（輝度情報）、又は、色度データ（色度情報）、又は、輝度データ及び色度データを含めることができる。輝度データは、光学装置（例えば、導光板）を通して眺めた観察対象物を含む所定の領域の輝度に対応した輝度データとすることができるし、色度データは、光学装置を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。光学装置を通して眺めた観察対象物を含む所定の領域の輝度に対応した輝度データとする場合、光学装置を通して眺めた観察対象物を含む所定の領域の輝度の値が高くなるほど、画像の輝度の値が高くなるように（即ち、画像がより明るく表示されるように）、輝度データの値を設定すればよい。また、光学装置を通して眺めた観察対象物を含む所定の領域の色度に対応した色度データとする場合、光学装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤色に対しての緑色、黄色に対しての紫色、青色に対しての橙色など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【００６２】
本開示の表示装置等によって、例えば、頭部装着型ディスプレイ（ＨＭＤ，Head Mounted Display）を構成することができる。そして、これによって、表示装置の軽量化、小型化を図ることができるし、表示装置装着時の不快感を大幅に軽減させることが可能となり、更には、製造コストダウンを図ることも可能となる。あるいは又、車両や航空機のコックピット等に備えられるヘッドアップディスプレイ（ＨＵＤ）に本開示の表示装置等を適用することができる。具体的には、画像形成装置から出射された光に基づき虚像が形成される虚像形成領域が車両や航空機のコックピット等のフロントガラスに配されたＨＵＤにおいて、あるいは又、画像形成装置から出射された光に基づき虚像が形成される虚像形成領域を有するコンバイナが車両や航空機のコックピット等のフロントガラスに配されたＨＵＤにおいて、係る虚像形成領域やコンバイナを調光装置の少なくとも一部分と重ならせればよい。本開示の表示装置等は、立体視ディスプレイ装置として用いることもできる。この場合、必要に応じて、光学装置（例えば、導光板）に偏光板や偏光フィルムを着脱自在に取り付け、あるいは、光学装置に偏光板や偏光フィルムを貼り合わせればよい。
【実施例１】
【００６３】
実施例１は、本開示の画像表示装置及び本開示の表示装置（具体的には、頭部装着型ディスプレイ，ＨＭＤ）に関し、具体的には、第１構造の光学装置（より具体的には、第１−Ｂ構造の光学装置）及び第１構成の画像形成装置を備えた表示装置に関する。また、実施例１は、本開示の調光装置に関する。実施例１の画像表示装置の一部分をＸＺ平面で切断したときの模式的な断面図を図１Ａに示し、調光装置を正面から眺めた模式図を図７Ａに示し、実施例１の画像表示装置の一部分を矢印Ｂ−Ｂに沿って切断したときの、即ち、ＹＺ平面で切断したときの、模式的な断面図を図７Ｂに示す。また、調光装置の一部分の模式的な断面図を図８Ａに示し、表示装置を側面から眺めた模式図を図８Ｂに示す。更には、実施例１の画像表示装置の概念図を図９に示し、反射型体積ホログラム回折格子の一部を拡大して示す模式的な断面図を図１０に示し、実施例１の表示装置を上方から眺めた模式図を図１１に示し、実施例１の表示装置を正面から眺めた模式図を図１２に示す。【００６４】
実施例１あるいは後述する実施例２〜実施例８の画像表示装置１００，２００，３００，４００，５００は、
（ａ）画像形成装置１１０，２１０、
（ｂ）画像形成装置１１０，２１０から出射された光に基づき虚像が形成される虚像形成領域を有する光学装置１２０，３２０，５２０、及び、
（ｃ）虚像形成領域に対向して、且つ、光学装置１２０，３２０，５２０と離間して配置され、外部から入射する外光の光量を調整する調光装置７００、
を備えている。そして、調光装置７００は、
（ｃ−１）外光が入光する透明な保護基板（支持基板）７２０、
（ｃ−２）光学装置１２０，３２０，５２０と対向する保護基板７２０の面上に形成された調光層７１０、及び、
（ｃ−３）調光層７１０上に形成された水分保持層７３０、
を備えている。光学装置１２０，３２０，５２０は、シースルー型（半透過型）である。また、画像形成装置１１０，２１０は、単色（例えば、緑色）の画像（虚像）を表示する。調光装置７００にコネクタ（図示せず）を取り付け、調光装置７００の遮光率を制御するための制御回路（具体的には、後述する制御装置１８）に、このコネクタ及び配線を介して調光装置７００を電気的に接続する。【００６５】
また、実施例１あるいは後述する実施例２〜実施例４の表示装置は、より具体的には、頭部装着型ディスプレイ（ＨＭＤ）であり、
（Ａ）観察者２０の頭部に装着されるフレーム１０（例えば、眼鏡型のフレーム１０）、及び、
（Ｂ）フレーム１０に取り付けられた画像表示装置、
を備えており、画像表示装置は、実施例１あるいは後述する実施例２〜実施例４の画像表示装置１００，２００，３００，４００から成る。実施例の表示装置を、具体的には、２つの画像表示装置を備えた両眼型としたが、１つ備えた片眼型としてもよい。表示装置は、観察者２０の瞳２１に、直接、画像を描画する直描タイプの表示装置である。【００６６】
そして、少なくとも保護基板７２０の縁部はフレーム１０（具体的には、例えば、リム部１１’）に固定されている。そして、保護基板７２０の縁部は、水蒸気を透過し得る接着剤８０１を介して、フレーム１０（具体的には、リム部１１’）に固定（接着）されている。後述する導光板１２１，３２１の縁部も、水蒸気を透過し得る接着剤８０２を介して、フレーム１０（具体的には、リム部１１’）に固定（接着）されている。接着剤８０１，８０２は、例えば、シリコーンゴム系接着剤から成る。接着剤８０１，８０２の水分透過率の値は、２．６×１０2グラム／ｍ2・日である。【００６７】
実施例１あるいは後述する実施例２〜実施例８において、光学装置１２０，３２０，５２０は、一種の光シャッタである調光装置７００の少なくとも一部分と重なっている。具体的には、図１Ａに示す例では、光学装置１２０，３２０，５２０は、調光装置７００と重なっている。即ち、導光板１２１，３２１と保護基板７２０とは、同形（あるいは、略同形）の外形形状を有する。但し、これに限定するものではなく、光学装置１２０，３２０，５２０は、調光装置７００の一部分と重なっていてもよいし、調光装置７００は、光学装置１２０，３２０，５２０の一部分と重なっていてもよい。調光装置７００は、導光板１２１，３２１の大部分と重なっている。また、観察者側から、光学装置１２０，３２０，５２０、調光装置７００の順に配されているが、調光装置７００、光学装置１２０，３２０，５２０の順に配してもよい。【００６８】
保護基板７２０は、例えば、厚さ０．５ｍｍのポリエチレンテレフタレート樹脂から成り、水分透過率は１０-2グラム／ｍ2・日以下、具体的には、２×１０-4グラム／ｍ2・日である。また、水分保持層７３０は、エポキシ系樹脂（アミン系の硬化剤を含む）から成り、吸水率は、例えば、０．５質量％乃至２質量％である。実施例１においては、保護基板７２０と調光層７１０との間に、例えば、厚さ５０ｎｍの酸化アルミニウム（Ａｌ2Ｏ3）から成る水蒸気バリア層７２１が形成されており、保護基板７２０の外面には、アクリル変性コロイダルシリカ粒子とフェニルケトン系及びアクリレート系の有機物及びメチルエチルケトンから成るハードコート層７２２が形成されている。【００６９】
調光装置７００は、エレクトロクロミック材料の酸化還元反応によって発生する物質の色変化を応用した光シャッタから成る。具体的には、調光層はエレクトロクロミック材料を含む。即ち、調光装置７００を構成する調光層７１０は、エレクトロクロミック材料層を備えている。具体的には、調光層７１０は、第１電極７１１、エレクトロクロミック材料層７１３及び第２電極７１２の積層構造を有し、エレクトロクロミック材料層７１３は、還元着色層７１４、電解質層７１５及び酸化着色層７１６の積層構造を有する。より具体的には、第１電極７１１及び第２電極７１２は、ＩＴＯといった透明導電材料から成り、還元着色層７１４はＷＯ3層から成り、電解質層７１５はＴａ2Ｏ5層から成り、酸化着色層７１６はＩｒXＳｎ1-XＯ層から成る。ＷＯ3層は還元発色する。また、ＩｒXＳｎ1-XＯ層は酸化発色する。ＩＴＯから成る第１電極７１１及び第２電極７１２は、パターニングされておらず、所謂ベタ電極である。第１電極７１１及び第２電極７１２は、図示しない配線層によって、図示しないコネクタに接続されており、更には、図示しない配線を介して制御装置１８に電気的に接続されている。【００７０】
ＩｒXＳｎ1-XＯ層中では、ＩｒとＨ2Ｏとが反応して、水酸化イリジウムＩｒ（ＯＨ）nとして存在する。第１電極７１１に負の電位を、第２電極７１２に正の電位を加えると、ＩｒXＳｎ1-XＯ層からＴａ2Ｏ5層へのプロトンＨ+の移動、第２電極７１２への電子放出が生じ、次の酸化反応が進んで、ＩｒXＳｎ1-XＯ層は着色する。
Ｉｒ（ＯＨ）n  →  ＩｒＯX（ＯＨ）n-X（着色）  ＋  Ｘ・Ｈ+  ＋  Ｘ・ｅ-【００７１】
一方、Ｔａ2Ｏ5層中のプロトンＨ+がＷＯ3層中へ移動し、第１電極７１１から電子がＷＯ3層に注入され、ＷＯ3層では、次の還元反応が進んでＷＯ3層は着色する。
ＷＯ3  ＋  Ｘ・Ｈ+  ＋  Ｘ・ｅ-  →  ＨXＷＯ3（着色）【００７２】
これとは逆に、第１電極７１１に正の電位を、第２電極７１２に負の電位を加えると、ＩｒXＳｎ1-XＯ層では、上記と逆向きに還元反応が進み、消色し、ＷＯ3層では、上記と逆向きに酸化反応が進み、消色する。Ｔａ2Ｏ5層にはＨ2Ｏが含まれており、第１電極、第２電極に電圧を印加することで電離し、プロトンＨ+、ＯＨ-イオンの状態が含まれ、着色反応及び消色反応に寄与している。【００７３】
実施例１あるいは後述する実施例２〜実施例４における光学装置１２０，３２０は、第１構造を有し、
（ｂ−１）画像形成装置１１０，２１０から入射された光が内部を全反射により伝播した後、観察者２０に向けて出射される導光板１２１，３２１、
（ｂ−２）導光板１２１，３２１に入射された光が導光板１２１，３２１の内部で全反射されるように、導光板１２１，３２１に入射された光を偏向する第１偏向手段１３０，３３０、及び、
（ｂ−３）導光板１２１，３２１の内部を全反射により伝播した光を偏向して導光板１２１，３２１から出射させる第２偏向手段１４０，３４０、
を備えている。そして、第２偏向手段１４０，３４０によって光学装置の虚像形成領域が構成される。また、調光装置７００の射影像内に第２偏向手段（虚像形成領域）１４０，３４０が位置する。【００７４】
実施例１あるいは後述する実施例２〜実施例８において、光学ガラスやプラスチック材料から成る導光板１２１，３２１は、導光板１２１，３２１の内部全反射による光伝播方向（Ｘ方向）と平行に延びる２つの平行面（第１面１２２，３２２及び第２面１２３，３２３）を有している。第１面１２２，３２２と第２面１２３，３２３とは対向している。そして、光入射面に相当する第１面１２２，３２２から平行光が入射され、内部を全反射により伝播した後、光出射面に相当する第１面１２２，３２２から出射される。但し、これに限定するものではなく、第２面１２３，３２３によって光入射面が構成され、第１面１２２，３２２によって光出射面が構成されていてもよい。【００７５】
実施例１において、光学装置は第１−Ｂ構造の光学装置であり、画像表示装置は第１構成の画像形成装置である。具体的には、第１偏向手段及び第２偏向手段は、導光板１２１の表面（具体的には、導光板１２１の第２面１２３）に配設されている（具体的には、貼り合わされている）。そして、第１偏向手段は、導光板１２１に入射された光を回折反射し、第２偏向手段は、導光板１２１の内部を全反射により伝播した光を回折反射する。第１偏向手段及び第２偏向手段は、回折格子素子、具体的には反射型回折格子素子、より具体的には反射型体積ホログラム回折格子から成る。以下の説明において、ホログラム回折格子から成る第１偏向手段を、便宜上、『第１回折格子部材１３０』と呼び、ホログラム回折格子から成る第２偏向手段を、便宜上、『第２回折格子部材１４０』と呼ぶ。【００７６】
そして、実施例１あるいは後述する実施例２において、第１回折格子部材１３０及び第２回折格子部材１４０は、１層の回折格子層から成る構成とされている。フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｙ方向に平行である。第１回折格子部材１３０及び第２回折格子部材１４０の軸線はＸ方向と平行であり、法線はＺ方向と平行である。【００７７】
図１０に反射型体積ホログラム回折格子の拡大した模式的な一部断面図を示す。反射型体積ホログラム回折格子には、傾斜角（スラント角）φを有する干渉縞が形成されている。傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。【００７８】
ｍ・λ＝２・ｄ・ｓｉｎ（Θ）    （Ａ）
Θ＝９０°−（φ＋ψ）          （Ｂ）【００７９】
第１回折格子部材１３０は、上述したとおり、導光板１２１の第２面１２３に配設（接着）されており、第１面１２２から導光板１２１に入射されたこの平行光が導光板１２１の内部で全反射されるように、導光板１２１に入射されたこの平行光を回折反射する。更には、第２回折格子部材１４０は、上述したとおり、導光板１２１の第２面１２３に配設（接着）されており、導光板１２１の内部を全反射により伝播したこの平行光を回折反射し、導光板１２１から平行光のまま第１面１２２から出射する。【００８０】
そして、導光板１２１において、平行光が内部を全反射により伝播した後、出射される。このとき、導光板１２１が薄く導光板１２１の内部を進行する光路が長いため、各画角によって第２回折格子部材１４０に至るまでの全反射回数は異なっている。より詳細に述べれば、導光板１２１に入射する平行光のうち、第２回折格子部材１４０に近づく方向の角度をもって入射する平行光の反射回数は、第２回折格子部材１４０から離れる方向の角度をもって導光板１２１に入射する平行光の反射回数よりも少ない。これは、第１回折格子部材１３０において回折反射される平行光であって、第２回折格子部材１４０に近づく方向の角度をもって導光板１２１に入射する平行光の方が、これと逆方向の角度をもって導光板１２１に入射する平行光よりも、導光板１２１の内部を伝播していく光が導光板１２１の内面と衝突するときの導光板１２１の法線と成す角度が小さくなるからである。また、第２回折格子部材１４０の内部に形成された干渉縞の形状と、第１回折格子部材１３０の内部に形成された干渉縞の形状とは、導光板１２１の軸線に垂直な仮想平面に対して対称な関係にある。第１回折格子部材１３０及び第２回折格子部材１４０の導光板１２１とは対向していない面を、透明樹脂板あるいは透明樹脂フィルムで被覆し、第１回折格子部材１３０及び第２回折格子部材１４０に損傷が生じることを防止する構造としてもよい。また、第１面１２２に透明な保護フィルムを貼り合わせ、導光板１２１を保護してもよい。【００８１】
後述する実施例２における導光板１２１も、基本的には、以上に説明した導光板１２１の構成、構造と同じ構成、構造を有する。【００８２】
実施例１あるいは後述する実施例３において、画像形成装置１１０は、第１構成の画像形成装置であり、２次元マトリクス状に配列された複数の画素を有する。具体的には、画像形成装置１１０は、有機ＥＬ表示装置１１１から成る。有機ＥＬ表示装置１１１から出射され画像は、レンズ系を構成する第１の凸レンズ１１３Ａを通過し、更に、レンズ系を構成する第２の凸レンズ１１３Ｂを通過し、平行光となって、導光板１２１へと向かう。第１の凸レンズ１１３Ａの後方焦点ｆ1Bに、第２の凸レンズ１１３Ｂの前方焦点ｆ2Fが位置する。また、第１の凸レンズ１１３Ａの後方焦点ｆ1B（第２の凸レンズ１１３Ｂの前方焦点ｆ2F）の位置に、絞り１１４が配置されている。絞り１１４は画像出射部に該当する。画像形成装置１１０の全体は、筐体１１５内に納められている。有機ＥＬ表示装置１１１は、２次元マトリクス状に配列された複数（例えば、６４０×４８０個）の画素（有機ＥＬ素子）を備えている。【００８３】
フレーム１０は、観察者２０の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド１０’（図１２参照）が取り付けられている。即ち、フレーム１０及びノーズパッド１０’の組立体は、基本的には、通常の眼鏡と略同じ構造を有する。更には、各筐体１１５が、取付け部材１９によってテンプル部１３に取り付けられている。フレーム１０は、金属又はプラスチックから作製されている。各筐体１１５は、取付け部材１９によってテンプル部１３に着脱自在に取り付けられていてもよい。また、眼鏡を所有し、装着している観察者に対しては、観察者の所有する眼鏡のフレーム１０のテンプル部１３に、各筐体１１５を取付け部材１９によって着脱自在に取り付けてもよい。各筐体１１５を、テンプル部１３の外側に取り付けてもよいし、テンプル部１３の内側に取り付けてもよい。あるいは又、フロント部１１に備えられたリム部１１’に、導光板１２１を嵌め込んでもよい。【００８４】
更には、一方の画像形成装置１１０，２１０から延びる配線（信号線や電源線等）１５が、テンプル部１３、及び、モダン部１４の内部を介して、モダン部１４の先端部から外部に延び、制御装置（制御回路、制御手段）１８に接続されている。各画像形成装置１１０，２１０はヘッドホン部１６を備えており、各画像形成装置１１０，２１０から延びるヘッドホン部用配線１６’が、テンプル部１３、及び、モダン部１４の内部を介して、モダン部１４の先端部からヘッドホン部１６へと延びている。ヘッドホン部用配線１６’は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１６’が乱雑に配置されているといった印象を与えることがなく、すっきりとした表示装置とすることができる。配線（信号線や電源線等）１５は、上述したとおり、制御装置（制御回路）１８に接続されており、制御装置１８において画像表示のための処理がなされる。制御装置１８は周知の回路から構成することができる。【００８５】
フロント部１１の中央部分に、必要に応じて、ＣＣＤあるいはＣＭＯＳセンサから成る固体撮像素子とレンズ（これらは図示せず）とから構成されたカメラ１７が、適切な取付部材（図示せず）によって取り付けられている。カメラ１７からの信号は、カメラ１７から延びる配線（図示せず）を介して制御装置（制御回路）１８に送出される。【００８６】
調光装置７００は、例えば、以下の方法で作製することができる。即ち、先ず、ハードコート層７２２及び水蒸気バリア層７２１が形成された保護基板７２０を準備する。そして、水蒸気バリア層７２１の上に、厚さ０．３５μｍのＩＴＯから成る第１電極７１１を形成する。次いで、第１電極７１１上に、反応性スパッタリング法に基づき、厚さ０．１２μｍのＩｒXＳｎ1-XＯ層（酸化イリジウムスズ層）から成る酸化着色層７１６を形成し、更に、厚さ０．４０μｍのＴａ2Ｏ5層（酸化タンタル）から成る電解質層７１５を形成する。次いで、反応性スパッタリング法に基づき、厚さ０．４０μｍのＷＯ3層（酸化タングステン）から成る還元着色層７１４を形成する。酸化着色層７１６、電解質層７１５及び還元着色層７１４の形成は、マグネトロンスパッタリング法、陽極酸化法、プラズマＣＶＤ法、ゾルゲル法等によっても形成することができる。成膜時、メタルマスクを用いて酸化着色層７１６、電解質層７１５及び還元着色層７１４を形成してもよい。その後、還元着色層７１４上に、厚さ０．２５μｍのＩＴＯから成る第２電極７１２を形成する。第１電極７１１や第２電極７１２の形成は、イオンプレーティング法や真空蒸着法といったＰＶＤ法、ゾルゲル法、ＣＶＤ法に基づき行うことができる。成膜時、メタルマスクを用いて第１電極７１１や第２電極７１２を形成してもよい。その後、電子線蒸着法により厚さ０．３５μｍのニッケルから成る配線層（図示せず）を形成する。次いで、エポキシ系樹脂をアミン系硬化剤と混合し、１０-2Ｐａ以下の減圧環境下で３０分間、脱泡させる。そして、例えば、ディスペンサーを用いて第２電極７１２上に塗布し、大気中、常温で硬化させることで、水分保持層７３０を形成する。フローコーター、スピンコーター、スクリーン印刷、グラビアコーター等を用いて塗布することもできる。こうして、調光装置７００を得ることができる。得られた調光装置７００を、例えば、常温・常湿環境下で１２時間、保管する。これまでの工程で水分保持層７３０には水分が保たれており、更に、外部環境との水分の受け渡しが行われている状態が実現されている。
【００８７】
実施例１の表示装置において、第１電極７１１と第２電極７１２との間に１．８ボルトとの直流電圧を３０秒間、印加することで、可視光域の全光線透過率が７６％から４％に低下した。次いで、第１電極７１１及び第２電極７１２への電圧の印加を中止したところ、１時間経過後でも全光線透過率は８%に維持された。この状態で、消色側に電圧を印加すると消色された。具体的には、１．８ボルトとの直流電圧を４秒間、印加することで、可視光域の全光線透過率が７６％へと戻った。【００８８】
６０秒周期で、第１電極７１１と第２電極７１２との間に１．８ボルト及び−１．８ボルトの一定電圧を加え続けるといったサイクル試験を実施した。その結果、３万サイクル後でも、調光装置の劣化は認められず、着色・消色を繰り返した。【００８９】
更には、露点が−４０゜Ｃの乾燥環境をグローブボックス内に形成し、表示装置を３０日、グローブボックス内に保管した後、グローブボックス内で駆動させたところ、可視光域の全光線透過率は５％以下になることが確認された。【００９０】
また、表示装置を６０゜Ｃ以上、１０％ＲＨ以下の環境で３２時間保管した後、第１電極７１１と第２電極７１２との間に１．８ボルトとの直流電圧を３０秒間、印加すると、可視光域の全光線透過率が７％に低下した。その後、表示装置を常温・常湿環境下で１０時間、保管した後に、第１電極７１１と第２電極７１２との間に１．８ボルトとの直流電圧を３０秒間、印加したところ、可視光域の全光線透過率が４％に低下した。即ち、初期の状態に回復した。【００９１】
以上のとおり本開示の画像表示装置、表示装置にあっては、水分保持層が備えられているので、調光装置内において水分が無くなってしまうと調光装置に色変化が生じなくなるといった現象の発生を抑制することができる。それ故、高い長期信頼性を有する調光装置、画像表示装置、表示装置を提供することができる。尚、調光装置の側面をフレームで被覆しても外部環境との水分授受を容易に行うことができるし、保護基板の材料の選択肢が限定されなくなるだけでなく、保護基板へのハードコート層、反射防止層等の成膜が容易となる。【００９２】
以上に説明した調光装置７００にあっては、保護基板７２０の縁部は、水蒸気を透過し得る接着剤８０１を介して、フレーム１０（具体的には、リム部１１’）に固定（接着）されている形態としたが、図１ＢにＸＺ平面で切断したときの模式的な断面図を示すように、これに併せて、あるいは又、水蒸気を透過し得る接着剤８０１を用いることなく、フレーム１０（具体的には、リム部１１’）に貫通孔８０３を設け、調光装置７００と光学装置１２０，３２０との間の空間が外部と連通している形態とすることもできる。【００９３】
あるいは又、図２Ａ、図２ＢにＸＺ平面で切断したときの模式的な断面図を示すように、水分保持層７３０の上に、例えば、ポリカーボネート樹脂（水分透過率：５×１０グラム／ｍ2・日）から成る水蒸気透過性透明基板７４０を配設してもよい。水蒸気透過性透明基板７４０を構成する材料の水分透過率は、保護基板７２０を構成する材料の水分透過率の１０倍以上である。水蒸気透過性透明基板７４０は、水分保持層７３０の硬化時、水分保持層７３０と接着する。接着には、例えば、ローラーを用いて面内に均一な圧力を加えればよい。また、ディスプレイ装置やタッチパネル向けの貼合装置を用いた貼り合わせも可能である。【００９４】
即ち、図２Ａ、図２Ｂに示した調光装置７００は、本開示の調光装置であり、
外光が入光する透明な保護基板７２０、
保護基板７２０の上に形成された調光層７１０、
調光層７１０の上に形成された水分保持層７３０、及び、
水分保持層７３０の上又は上方に配設された水蒸気透過性透明基板７４０、
を備えている。図示した例では、水蒸気透過性透明基板７４０は、水分保持層７３０の上に配設されている。【００９５】
あるいは又、図３Ａ、図３Ｂ、図４Ａ、図４Ｂ、図５Ａ、図５Ｂ、図６Ａ、図６ＢにＸＺ平面で切断したときの模式的な断面図を示すように、調光装置７００は、画像形成装置から出射された光に基づき虚像が形成される虚像形成領域（第２偏向手段１４０，３４０）と概ね重なるように配設されていてもよい。即ち、調光層７１０の大きさを、最大虚像形成領域に対応した虚像投影領域が形成され得る大きさ、あるいは、その大きさよりも少し大きい大きさ（例えば、１１０％乃至１５０％程度の大きさ）としてもよい。また、図５Ａ、図５Ｂ、図６Ａ、図６ＢにＸＺ平面で切断したときの模式的な断面図を示すように、水分保持層７３０や水蒸気透過性透明基板７４０を、調光層７１０の上及びその近傍に配設してもよい。
【００９６】
画像表示装置１００，２００，３００，４００，５００において表示する画像に関する情報やデータ、あるいは又、受信装置が受け取るべき信号は、例えば、所謂クラウドコンピュータやサーバーに記録、保管、保存されており、表示装置が通信手段（送受信装置）、例えば、携帯電話機やスマートフォンを備えることによって、あるいは又、制御装置（制御回路、制御手段）１８に通信手段（受信装置）を組み込むことで、通信手段を介してクラウドコンピュータやサーバーと表示装置との間での各種情報やデータ、信号の授受、交換を行うことができるし、各種情報やデータに基づく信号、即ち、画像表示装置１００，２００，３００，４００，５００において画像を表示するための信号を受け取ることができるし、受信装置は信号を受け取ることができる。【００９７】
具体的には、観察者が、携帯電話機やスマートフォンに、入手すべき「情報」を要求する旨の入力を行うと、携帯電話機やスマートフォンは、クラウドコンピュータやサーバーにアクセスし、「情報」をクラウドコンピュータやサーバーから入手する。こうして、制御装置１８は、画像表示装置１００，２００，３００，４００，５００において画像を表示するための信号を受け取る。制御装置１８にあっては、この信号に基づいて周知の画像処理を行い、画像形成装置１１０に「情報」を画像として表示する。この「情報」としての画像は、導光板１２１，３２１において、画像形成装置１１０，２１０から出射される光に基づき、制御装置１８によって制御された所定の位置に虚像として表示される。即ち、虚像形成領域（第２偏向手段１４０，３４０等）の一部分において虚像が形成される。
【００９８】
そして、調光装置７００が設けられている場合、調光装置７００への虚像の投影像が含まれる調光装置７００の虚像投影領域の遮光率が、調光装置７００の他の領域の遮光率よりも高くなるように、調光装置７００が制御される。具体的には、制御装置１８によって、第１電極７１１及び第２電極７１２に印加される電圧を制御する。画像形成装置１１０において画像を表示するための信号に基づき、調光装置７００の虚像投影領域の大きさ及び位置が決定される。【００９９】
場合によっては、画像表示装置１００，２００，３００，４００，５００において画像を表示するための信号が、表示装置（具体的には、制御装置１８）に記憶されていてもよい。【０１００】
あるいは又、表示装置に備えられたカメラ１７によって撮像された画像を通信手段を介してクラウドコンピュータやサーバーに送出し、クラウドコンピュータやサーバーにおいてカメラ１７によって撮像された画像に該当する各種情報やデータを検索し、検索された各種情報やデータを通信手段を介して表示装置に送出し、検索された各種情報やデータを画像表示装置１００，２００，３００，４００，５００において画像を表示してもよい。また、このような形態と「情報」の入力を併用すれば、例えば、観察者のいる場所等や観察者がどの方向を向いているか等の情報を加重することができるので、一層高い精度で、「情報」を画像形成装置１１０，２１０において表示することができる。【０１０１】
画像形成装置１１０，２１０から出射された光に基づき導光板１２１，３２１に虚像が形成される前に、調光装置７００の虚像投影領域の遮光率が増加される形態を採用してもよい。調光装置７００の虚像投影領域の遮光率が増加されてから虚像が形成されるまでの時間として、０．５秒乃至３０秒を例示することができるが、この値に限定するものではない。このように、予め、虚像が導光板のどの位置に、いつ、形成されるかを観察者は知ることができるので、観察者の虚像視認性の向上を図ることができる。調光装置７００の虚像投影領域の遮光率は、時間の経過に従い、順次、増加する形態とすることができる。即ち、所謂フェードイン状態とすることができる。【０１０２】
虚像が形成されていない場合、調光装置７００全体の遮光率を、調光装置７００の他の領域の遮光率と同じ値とすればよい。虚像の形成が終了し、虚像が消滅したとき、調光装置７００への虚像の投影像が含まれていた調光装置７００の虚像投影領域の遮光率を、直ちに、調光装置７００の他の領域の遮光率と同じ値としてもよいが、経時的に（例えば、３秒間で）調光装置７００の他の領域の遮光率と同じ値となるように制御してもよい。即ち、所謂フェードアウト状態とすることができる。【０１０３】
画像形成装置１１０，２１０から出射された光に基づき導光板１２１，３２１に一の虚像が形成され、次いで、一の虚像と異なる次の虚像が形成される場合を想定する。この場合、一の虚像に対応する調光装置７００の虚像投影領域の面積をＳ1、次の虚像に対応する調光装置７００の虚像投影領域の面積をＳ2としたとき、
Ｓ2／Ｓ1＜０．８、又は、１＜Ｓ2／Ｓ1の場合、次の虚像が形成される調光装置７００の虚像投影領域は、調光装置７００への次の虚像の投影像が含まれる調光装置７００の領域であり、
０．８≦Ｓ2／Ｓ1≦１の場合、次の虚像が形成される調光装置７００の虚像投影領域は、調光装置７００への一の虚像の投影像が含まれた調光装置７００の領域である形態とすることができる。即ち、一の虚像の形成から次の虚像の形成において、虚像投影領域の面積が０％減乃至２０％減の場合には、一の虚像に対応した虚像投影領域を保持する形態とすることができる。【０１０４】
また、導光板１２１，３２１に形成される虚像に外接する仮想矩形を想定したとき、調光装置７００の虚像投影領域は、仮想矩形よりも大きい構成とすることができる。そして、この場合、導光板１２１，３２１に形成される虚像に外接する仮想矩形の横方向及び縦方向の長さをＬ1-T及びＬ1-Lとし、調光装置７００の虚像投影領域の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足することが好ましい。【０１０５】
調光装置７００は、常時、動作状態にあってもよいし、観察者の指示（操作）によって動作／不動作（オン／オフ）状態が規定されてもよいし、通常は不動作状態にあり、画像表示装置１００，２００，３００，４００，５００において画像を表示するための信号に基づき、動作を開始してもよい。観察者の指示（操作）によって動作／不動作状態を規定するためには、例えば、表示装置はマイクロフォンを更に備えており、マイクロフォンを介した音声入力によって、調光装置７００の動作の制御を行えばよい。具体的には、観察者の肉声に基づく指示によって、調光装置７００の動作／不動作の切替えを制御すればよい。あるいは又、入手すべき情報を音声入力によって入力してもよい。あるいは又、表示装置は、赤外線入出射装置を更に備えており、赤外線入出射装置によって、調光装置７００の動作の制御を行えばよい。具体的には、赤外線入出射装置によって、観察者の瞬きを検出することで、調光装置７００の動作／不動作の切替えを制御すればよい。
【実施例２】
【０１０６】
実施例２は、実施例１の変形であり、第１−Ｂ構造の光学装置及び第２構成の画像形成装置に関する。実施例２の表示装置（頭部装着型ディスプレイ）における画像表示装置２００の概念図を図１３に示すように、実施例２において、画像形成装置２１０は、第２構成の画像形成装置から構成されている。即ち、光源２１１、光源２１１から出射された平行光を走査する走査手段２１２、及び、光源２１１から出射された光を平行光とするレンズ系２１３から構成されている。画像形成装置２１０全体が筐体２１５内に納められており、係る筐体２１５には開口部（図示せず）が設けられており、開口部を介してレンズ系２１３から光が出射される。そして、各筐体２１５が、取付け部材１９によって、着脱自在に、テンプル部１３に取り付けられている。また、図１３、図１４、図１５、図２２、図２３、図２５Ａ、図２５Ｂ、図２６Ａ、図２６Ｂにおいては、調光装置の図示を省略した。【０１０７】
光源２１１は、例えば、半導体レーザ素子から構成されている。そして、光源２１１から出射された光は、図示しないレンズによって平行光とされ、マイクロミラーを二次元方向に回転自在とし、入射した平行光を２次元的に走査することができるＭＥＭＳミラーから成る走査手段２１２によって水平走査及び垂直走査が行われ、一種の２次元画像化され、仮想の画素（画素数は、例えば、実施例１と同じとすることができる）が生成される。そして、仮想の画素（画像出射部に該当する走査手段２１２）からの光は、正の光学的パワーを持つレンズ系２１３を通過し、平行光とされた光束が導光板１２１に入射する。
【０１０８】
光学装置１２０は、実施例１にて説明した光学装置と同じ構成、構造を有するので、詳細な説明は省略する。また、実施例２の表示装置も、上述したとおり、画像形成装置２１０が異なる点を除き、実質的に、実施例１の表示装置と同じ構成、構造を有するので、詳細な説明は省略する。
【実施例３】
【０１０９】
実施例３も、実施例１の変形であるが、第１−Ａ構造の光学装置及び第１構成又は第２構成の画像形成装置に関する。【０１１０】
実施例３の表示装置（頭部装着型ディスプレイ）における画像表示装置３００の概念図を図１４に示すように、実施例３において、第１偏向手段３３０及び第２偏向手段３４０は導光板３２１の内部に配設されている。そして、第１偏向手段３３０は、導光板３２１に入射された光を反射し、第２偏向手段３４０は、導光板３２１の内部を全反射により伝播した光を、複数回に亙り、透過、反射する。即ち、第１偏向手段３３０は反射鏡として機能し、第２偏向手段３４０は半透過鏡として機能する。より具体的には、導光板３２１の内部に設けられた第１偏向手段３３０は、アルミニウム（Ａｌ）から成り、導光板３２１に入射された光を反射させる光反射膜（一種のミラー）から構成されている。一方、導光板３２１の内部に設けられた第２偏向手段３４０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板３２１を構成する材料と同じ材料から成る薄片が挟まれている。第１偏向手段３３０においては、導光板３２１に入射された平行光が導光板３２１の内部で全反射されるように、導光板３２１に入射された平行光が反射される。一方、第２偏向手段３４０においては、導光板３２１の内部を全反射により伝播した平行光が複数回に亙り反射され、導光板３２１から平行光の状態で、観察者２０の瞳２１に向かって出射される。【０１１１】
第１偏向手段３３０は、導光板３２１の第１偏向手段３３０を設ける部分３２４を切り出すことで、導光板３２１に第１偏向手段３３０を形成すべき斜面を設け、係る斜面に光反射膜を真空蒸着した後、導光板３２１の切り出した部分３２４を第１偏向手段３３０に接着すればよい。また、第２偏向手段３４０は、導光板３２１を構成する材料と同じ材料（例えば、ガラス）と誘電体積層膜（例えば、真空蒸着法にて成膜することができる）とが多数積層された多層積層構造体を作製し、導光板３２１の第２偏向手段３４０を設ける部分３２５を切り出して斜面を形成し、係る斜面に多層積層構造体を接着し、研磨等を行って、外形を整えればよい。こうして、導光板３２１の内部に第１偏向手段３３０及び第２偏向手段３４０が設けられた光学装置３２０を得ることができる。【０１１２】
あるいは又、実施例３の表示装置（頭部装着型ディスプレイ）における画像表示装置４００の概念図を図１５に示す。図１５に示した例では、画像形成装置２１０は、実施例２と同様に、第２構成の画像形成装置から構成されている。【０１１３】
実施例３の表示装置は、以上の相違点を除き、実質的に、実施例１〜実施例２の表示装置と同じ構成、構造を有するので、詳細な説明は省略する。
【実施例４】
【０１１４】
実施例４は、実施例２〜実施例３における画像表示装置の変形であるが、第２構造の光学装置、第２構成の画像形成装置に関する。実施例４の表示装置を上方から眺めた模式図を図１６に示す。【０１１５】
実施例４において、画像表示装置５００を構成する光学装置５２０は、光源から出射された光が入射され、観察者２０の瞳２１に向かって出射される半透過ミラー５３０Ａ，５３０Ｂから構成されている。実施例４において、それぞれの筐体２１５Ａ，２１５Ｂ内に配置されたそれぞれの光源２１１Ａ，２１１Ｂから出射された光は、図示しない光ファイバの内部を伝播して、例えば、ノーズパッド近傍のリム部１１’の部分に取り付けられた走査手段２１２Ａ，２１２Ｂに入射し、走査手段２１２Ａ，２１２Ｂによって走査された光は半透過ミラー５３０Ａ，５３０Ｂに入射する。あるいは又、それぞれの筐体２１５Ａ，２１５Ｂ内に配置されたそれぞれの光源２１１Ａ，２１１Ｂから出射された光は、図示しない光ファイバの内部を伝播して、例えば、両眼のそれぞれに対応するリム部１１’の部分の上方に取り付けられた走査手段２１２Ａ，２１２Ｂに入射し、走査手段２１２Ａ，２１２Ｂによって走査された光は半透過ミラー５３０Ａ，５３０Ｂに入射する。あるいは又、それぞれの筐体２１５Ａ，２１５Ｂ内に配置されたそれぞれの光源２１１Ａ，２１１Ｂから出射され、筐体２１５Ａ，２１５Ｂ内に配置された走査手段２１２Ａ，２１２Ｂに入射し、走査手段２１２Ａ，２１２Ｂによって走査された光は、半透過ミラー５３０Ａ，５３０Ｂに、直接、入射する。そして、半透過ミラー５３０Ａ，５３０Ｂによって反射された光が観察者２０の瞳２１に入射する。画像形成装置２１０Ａ，２１０Ｂは、実質的に、実施例２において説明した画像形成装置２１０とすることができる。実施例４の表示装置は、以上の相違点を除き、実質的に、実施例２〜実施例３の表示装置と同じ構成、構造を有するので、詳細な説明は省略する。
【実施例５】
【０１１６】
実施例５は、実施例１の変形である。実施例５の表示装置を上方から眺めた模式図を図１７Ａに示す。また、照度センサを制御する回路の模式図を図１７Ｂに示す。【０１１７】
実施例５の表示装置は、表示装置の置かれた環境の照度を測定する環境照度測定センサ７５１を更に備えており、環境照度測定センサ７５１の測定結果に基づき、調光装置７００の遮光率を制御する。併せて、あるいは、独立して、環境照度測定センサ７５１の測定結果に基づき、画像形成装置１１０，２１０によって形成される画像の輝度を制御する。周知の構成、構造を有する環境照度測定センサ７５１は、例えば、調光装置７００の外側端部に配置すればよい。環境照度測定センサ７５１は、図示しないコネクタ及び配線を介して制御装置１８に接続されている。制御装置１８には、環境照度測定センサ７５１を制御する回路が含まれる。この環境照度測定センサ７５１を制御する回路は、環境照度測定センサ７５１からの測定値を受け取り、照度を求める照度演算回路、照度演算回路によって求められた照度の値を標準値の比較する比較演算回路、比較演算回路によって求められた値に基づき、調光装置７００及び／又は画像形成装置１１０，２１０を制御する環境照度測定センサ制御回路から構成されているが、これらの回路は周知の回路から構成することができる。調光装置７００の制御にあっては、調光装置７００の遮光率の制御を行い、一方、画像形成装置１１０，２１０の制御にあっては、画像形成装置１１０，２１０によって形成される画像の輝度の制御を行う。調光装置７００における遮光率の制御と画像形成装置１１０，２１０における画像の輝度の制御は、それぞれ、独立して行ってもよいし、相関を付けて行ってもよい。【０１１８】
例えば、環境照度測定センサ７５１の測定結果が所定値（第１の照度測定値）以上になったとき、調光装置７００の遮光率を所定の値（第１の遮光率）以上とする。一方、環境照度測定センサ７５１の測定結果が所定値（第２の照度測定値）以下になったとき、調光装置７００の遮光率を所定の値（第２の遮光率）以下とする。第１の照度測定値として１０ルクスを挙げることができるし、第１の遮光率として９９％乃至７０％のいずれかの値を挙げることができるし、第２の照度測定値として０．０１ルクスを挙げることができるし、第２の遮光率として４９％乃至１％のいずれかの値を挙げることができる。【０１１９】
実施例５における環境照度測定センサ７５１を、実施例２〜実施例４において説明した表示装置に適用することができる。また、表示装置がカメラ１７を備えている場合、カメラ１７に備えられた露出測定用の受光素子から環境照度測定センサ７５１を構成することもできる。【０１２０】
実施例５あるいは次に述べる実施例６の表示装置にあっては、環境照度測定センサの測定結果に基づき、調光装置の遮光率を制御し、また、環境照度測定センサの測定結果に基づき、画像形成装置によって形成される画像の輝度を制御し、また、透過光照度測定センサの測定結果に基づき、調光装置の遮光率を制御し、また、透過光照度測定センサの測定結果に基づき、画像形成装置によって形成される画像の輝度を制御するので、観察者が観察する虚像に高いコントラストを与えることができるだけでなく、表示装置の置かれた周囲の環境の照度に依存して虚像の観察状態の最適化を図ることができる。
【実施例６】
【０１２１】
実施例６も、実施例１の変形である。実施例６の表示装置を上方から眺めた模式図を図１８Ａに示す。また、第２の照度センサを制御する回路の模式図を図１８Ｂに示す。【０１２２】
実施例６の表示装置は、外部環境から調光装置を透過した光に基づく照度を測定する、即ち、環境光が調光装置を透過して所望の照度まで調整されて入射しているかを測定する透過光照度測定センサ７５２を更に備えており、透過光照度測定センサ７５２の測定結果に基づき、調光装置７００の遮光率を制御する。併せて、あるいは、独立して、また、透過光照度測定センサ７５２の測定結果に基づき、画像形成装置１１０，２１０によって形成される画像の輝度を制御する。周知の構成、構造を有する透過光照度測定センサ７５２は、光学装置１２０，３２０よりも観察者側に配置されている。具体的には、透過光照度測定センサ７５２は、例えば、筐体１１５，２１５の内側面や、導光板１２１，３２１の観察者側の面に配置すればよい。透過光照度測定センサ７５２は、図示しないコネクタ及び配線を介して制御装置１８に接続されている。制御装置１８には、透過光照度測定センサ７５２を制御する回路が含まれる。この透過光照度測定センサ７５２を制御する回路は、透過光照度測定センサ７５２からの測定値を受け取り、照度を求める照度演算回路、照度演算回路によって求められた照度の値を標準値の比較する比較演算回路、比較演算回路によって求められた値に基づき、調光装置７００及び／又は画像形成装置１１０，２１０を制御する透過光照度測定センサ制御回路から構成されているが、これらの回路は周知の回路から構成することができる。調光装置７００の制御において、調光装置７００の遮光率の制御を行い、一方、画像形成装置１１０，２１０の制御において、画像形成装置１１０，２１０によって形成される画像の輝度の制御を行う。調光装置７００における遮光率の制御と画像形成装置１１０，２１０における画像の輝度の制御は、それぞれ、独立して行ってもよいし、相関を付けて行ってもよい。更に、透過光照度測定センサ７５２の測定結果が環境照度測定センサ７５１の照度から鑑みて所望の照度まで制御できていない場合、即ち、透過光照度測定センサ７５２の測定結果が所望の照度になっていない場合、若しくは、更に一層の微妙な照度調整が望まれる場合には、透過光照度測定センサ７５２の値をモニターしながら調光装置の遮光率を調整すればよい。透過光照度測定センサを、少なくとも２つ、配置し、高遮光率の部分を通過した光に基づく照度の測定、低遮光率の部分を通過した光に基づく照度の測定を行ってもよい。【０１２３】
実施例６における透過光照度測定センサ７５２を、実施例２〜実施例４において説明した表示装置に適用することができる。あるいは又、実施例６における透過光照度測定センサ７５２と実施例５における環境照度測定センサ７５１とを組み合わせてもよく、この場合、種々の試験を行い、調光装置７００における遮光率の制御と画像形成装置１１０，２１０における画像の輝度の制御を、それぞれ、独立して行ってもよいし、相関を付けて行ってもよい。右眼用の調光装置と左眼用の調光装置のそれぞれにおいて、第１電極及び第２電極に印加する電圧を調整することで、右眼用の調光装置における遮光率及び左眼用の調光装置における遮光率の均等化を図ることができる。第１電極と第２電極との間の電位差を制御してもよいし、第１電極に印加する電圧と第２電極に印加する電圧とを独立に制御してもよい。右眼用の調光装置における遮光率及び左眼用の調光装置における遮光率は、例えば、透過光照度測定センサ７５２の測定結果に基づき、制御することができるし、あるいは又、観察者が、右眼用の調光装置及び光学装置を通過した光の明るさ及び左眼用の調光装置及び光学装置を通過した光の明るさを観察し、観察者が、スイッチやボタン、ダイアル、スライダ、ノブ等を操作することで手動にて制御、調整することもできる。
【実施例７】
【０１２４】
実施例７は、実施例１〜実施例６の変形である。実施例７の表示装置を上方から眺めた模式図を図１９に示し、実施例７の光学装置及び調光装置の模式的な正面図を図２０に示す。実施例７の表示装置にあっては、第１偏向手段１３０，３３０と対向する調光装置７００の外面に、導光板１２１，３２１の外へ光が漏れ出し、光利用効率が低下することを防止するための遮光部材７６１が形成されている。あるいは又、上方から眺めた模式図を図２１に示すように、第１偏向手段１３０，３３０を覆うように、導光板１２１，３２１の第２面１２３，３２３の外側に遮光部材７６２が配置されており、あるいは又、設けられている。導光板１２１，３２１への第１偏向手段１３０，３３０の正射影像は、導光板１２１，３２１への遮光部材７６１，７６２の正射影像に含まれる。具体的には、例えば、画像形成装置１１０，２１０から出射された光が入射される導光板１２１，３２１の領域、より具体的には、第１偏向手段１３０，３３０が設けられた領域に、導光板１２１，３２１への外光の入射を遮光する遮光部材７６１，７６２が配されている。遮光部材７６１，７６２の導光板１２１，３２１への正射影像内に、画像形成装置１１０，２１０から出射された光が入射される導光板１２１，３２１の領域が含まれる。【０１２５】
遮光部材７６１，７６２は、導光板１２１，３２１の画像形成装置１１０，２１０が配された側とは反対側に、導光板１２１，３２１と離間して配されている。遮光部材７６１は、保護基板７２０の一部に配されている。具体的には、不透明なインクを保護基板７２０に印刷することで、遮光部材７６１を形成することができる。遮光部材７６２は、例えば、不透明なプラスチック材料から作製されており、遮光部材７６２は、画像形成装置１１０，２１０の筐体１１５，２１５から一体に延び、あるいは又、画像形成装置１１０，２１０の筐体１１５，２１５に取り付けられ、あるいは又、フレーム１０から一体に延び、あるいは又、フレーム１０に取り付けられ、あるいは又、導光板１２１，３２１に取り付けられている。図示した例では、遮光部材７６２は、画像形成装置１１０，２１０の筐体１１５、２１５から一体に延びている。このように、画像形成装置１１０，２１０から出射された光が入射される導光板１２１，３２１の領域には、導光板１２１，３２１への外光の入射を遮光する遮光部材７６１，７６２が配されているので、画像形成装置１１０，２１０から出射された光が入射される導光板１２１，３２１の領域、具体的には、第１偏向手段１３０，３３０には外光が入射しないので、不所望の迷光等が発生し、表示装置における画像表示品質の低下を招くことが無い。遮光部材７６１と遮光部材７６２とを組み合わせることもできる。
【実施例８】
【０１２６】
実施例８は、実施例２の変形である。実施例８の画像表示装置の概念図を図２２あるいは図２３に示すように、第２偏向手段１４０と対向して光学装置１２０に光学部材１５１を配設してもよい。画像形成装置２１０からの光は、第１偏向手段１３０において偏向され（あるいは反射され）、導光板１２１の内部を全反射により伝播し、第２偏向手段１４０において偏向され、光学部材１５１に入射し、光学部材１５１は、入射した光を観察者２０の瞳２１に向けて出射する。第２偏向手段１４０を通過する際の光の相当の部分は、第２偏向手段１４０における回折条件を満たしていないので、第２偏向手段１４０において回折反射されることなく、観察者２０の瞳２１に入射する。光学部材１５１は、例えば、ホログラムレンズから成り、例えば、導光板１２１の第２面側に配置されている。第２偏向手段１４０は、導光板１２１の第２面側に配置されており（図２２参照）、あるいは又、第１面側（図２３参照）に配置されている。【０１２７】
そして、この場合、画像形成装置２１０からの光が入射され、導光板１２１へ向けて出射するレンズ系２１３を更に備えており；画像形成装置２１０と観察者２０の瞳２１とは共役の関係にあり；レンズ系２１３及び光学部材１５１によって両側テレセントリック系が構成される形態とすることができる。あるいは又、正の光学的パワーを有するレンズ系２１３の前方焦点に、画像形成装置２１０から画像が出射される画像出射部が位置し、正の光学的パワーを有する光学部材１５１の後方焦点に、観察者２０の瞳２１（より具体的には、水晶体）が位置し、レンズ系２１３の後方焦点に光学部材１５１の前方焦点が位置する形態とすることができる。ここで、画像形成装置２１０と観察者２０の瞳２１とが共役の関係にあるとき、観察者２０の瞳２１の位置に画像形成装置２１０を置くと、元の画像形成装置２１０の位置に像が形成される。また、レンズ系２１３及び光学部材１５１によって両側テレセントリック系が構成されるとき、レンズ系２１３の入射瞳は無限遠にあるし、光学部材１５１の射出瞳は無限遠にある。【０１２８】
レンズ系２１３として、前述したとおり、凸レンズ、凹レンズ、自由曲面プリズム、ホログラムレンズを、単独、若しくは、組み合わせた、全体として正の光学的パワーを持つ光学系を例示することができる。レンズ系２１３の有する正の光学的パワーの値は、光学部材１５１の有する正の光学的パワーの値よりも大きい形態とすることができる。光学的パワーは焦点距離の逆数であるが故に、云い換えれば、光学部材１５１の焦点距離は、レンズ系２１３の焦点距離よりも長い形態とすることができる。レンズ系２１３の前方焦点（画像形成装置側の焦点）の位置に、場合によっては、絞り１１４が配置されている。光学部材１５１は、場合によっては、一種の凹面鏡を構成し、光学部材１５１の後方焦点の位置に観察者２０の瞳２１（具体的には、観察者の水晶体）が位置する。【０１２９】
ホログラムレンズを構成する材料として、フォトポリマー材料を挙げることができる。ホログラムレンズの構成材料や基本的な構造は、従来のホログラムレンズの構成材料や構造と同じとすればよい。ホログラムレンズには、レンズ（より具体的には、凹面鏡）としての機能を発揮させるための干渉縞が形成されているが、係る干渉縞それ自体の形成方法は、従来の形成方法と同じとすればよい。具体的には、例えば、ホログラムレンズを構成する部材（例えば、フォトポリマー材料）に対して一方の側の第１の所定の方向から物体光を照射し、同時に、ホログラムレンズを構成する部材に対して他方の側の第２の所定の方向から参照光を照射し、物体光と参照光とによって形成される干渉縞をホログラムレンズを構成する部材の内部に記録すればよい。例えば、物体光、参照光の一方を発散ビームとし、他方を集束ビームとする。第１の所定の方向、第２の所定の方向、物体光及び参照光の波長を適切に選択することで、ホログラムレンズに適切な干渉縞を形成することができ、これによって、所望の正の光学的パワーを付与することができる。【０１３０】
光学系を説明する概念図を図２４に示すように、上述したとおり、画像形成装置２１０（具体的には、画像出射部）と観察者２０の瞳２１（具体的には、水晶体）とは共役の関係にあり、レンズ系２１３及び光学部材１５１によって両側テレセントリック系が構成される構造を挙げることができる。あるいは又、正の光学的パワーを有するレンズ系２１３の前方焦点ｆ1Fに、画像形成装置２１０から画像が出射される画像出射部（具体的には走査手段２１２）が位置し、正の光学的パワーを有する光学部材１５１の後方焦点ｆ2Bに、観察者２０の瞳２１（より具体的には、水晶体）が位置し、レンズ系２１３の後方焦点ｆ1Bに光学部材１５１の前方焦点ｆ2Fが位置する構成とすることもできる。また、前述したとおり、レンズ系２１３及び光学部材１５１は正の光学的パワーを有する。そして、この場合、レンズ系２１３の有する正の光学的パワーの値は、光学部材１５１の有する正の光学的パワーの値よりも大きい構成とすることができる。即ち、光学部材１５１の焦点距離（ｆ2B）は、レンズ系２１３の焦点距離（ｆ1F）よりも長い構成とすることができる。ここで、レンズ系２１３の前方焦点ｆ1F（画像形成装置側の焦点）の位置には、画像出射部に該当する走査手段２１２が配置されている。一方、光学部材１５１は一種の凹面鏡を構成し、光学部材１５１の後方焦点ｆ2Bの位置に観察者２０の瞳２１（具体的には、水晶体）が位置する。【０１３１】
このような構造、構成の画像表示装置にあっては、或る瞬間に光源２１１から出射された光（例えば、１画素分あるいは１副画素分の大きさに相当する）は、上述したとおり、平行光とされ、この平行光は走査手段２１２によって走査され、平行光のまま、レンズ系２１３に入射する。レンズ系２１３から出射した光は、レンズ系２１３の後方焦点（光学部材１５１の前方焦点でもある）において、一旦、結像し、光学部材１５１に入射する。光学部材１５１から出射した光は、平行光となり、観察者２０の瞳２１（具体的には、水晶体）に、平行光のまま、到達する。そして、水晶体を通過した光は、最終的に、観察者２０の瞳２１の網膜において結像する。【０１３２】
以上に説明した実施例８の画像表示装置の構成、構造を、実施例１、実施例３〜実施例７に適用することができることは云うまでもない。
【実施例９】
【０１３３】
実施例９は、実施例４において説明した第２構造の光学装置を構成する光学装置の変形である。実施例９の表示装置を上から眺めた模式図を、図２５Ａ及び図２５Ｂに示す。【０１３４】
図２５Ａに示す例にあっては、光源６０１からの光が導光部材６０２に侵入し、導光部材６０２内に設けられた偏光ビームスプリッター６０３に衝突する。偏光ビームスプリッター６０３に衝突した光源６０１からの光の内、Ｐ偏光成分は偏光ビームスプリッター６０３を通過し、Ｓ偏光成分は、偏光ビームスプリッター６０３によって反射され、ライト・バルブとしてのＬＣＯＳから成る液晶表示装置（ＬＣＤ）６０４に向かう。液晶表示装置（ＬＣＤ）６０４によって画像が形成される。液晶表示装置（ＬＣＤ）６０４によって反射された光の偏光成分はＰ偏光成分が占めるので、液晶表示装置（ＬＣＤ）６０４によって反射された光は、偏光ビームスプリッター６０３，６０５を通過し、１／４波長板６０６を通過し、反射板６０７に衝突して反射され、１／４波長板６０６を通過し、偏光ビームスプリッター６０５に向かう。このときの光の偏光成分はＳ偏光成分が占めるので、偏光ビームスプリッター６０５によって反射され、観察者の瞳２１へと向かう。以上のとおり、画像形成装置は、光源６０１及び液晶表示装置（ＬＣＤ）６０４から構成され、光学装置は、導光部材６０２、偏光ビームスプリッター６０３，６０５、１／４波長板６０６及び反射板６０７から構成され、偏光ビームスプリッター６０５が光学装置の虚像形成領域に相当する。【０１３５】
図２５Ｂに示す例にあっては、画像形成装置６１１からの光が導光部材６１２を進行し、半透過ミラー６１３に衝突し、一部の光が半透過ミラー６１３を通過し、反射板６１４に衝突して反射され、半透過ミラー６１３に再び衝突し、一部の光が半透過ミラー６１３によって反射され、観察者の瞳２１へと向かう。光学装置は、以上のとおり、導光部材６１２、半透過ミラー６１３及び反射板６１４から構成されており、半透過ミラー６１３が光学装置の虚像形成領域に相当する。【０１３６】
あるいは又、実施例９の表示装置の変形例を上から眺めた模式図及び横から眺めた模式図を、図２６Ａ及び図２６Ｂに示す。この光学装置は、６面体のプリズム６２２及び凸レンズ６２５から構成されている。画像形成装置６２１から出射された光は、プリズム６２２に入射し、プリズム面６２３に衝突して反射され、プリズム６２２を進行し、プリズム面６２４に衝突して反射され、凸レンズ６２５を介して観察者の瞳２１に到達する。プリズム面６２３とプリズム面６２４とは、向かい合う方向に傾斜が付けられており、プリズム６２２の平面形状は、台形、具体的には、等脚台形である。プリズム面６２３，６２４にはミラーコーティングが施されている。瞳２１と対向するプリズム６２２の部分の厚さ（高さ）を、人間の平均的な瞳孔径である４ｍｍより薄くすれば、観察者は、外界の像とプリズム６２２からの虚像とを重畳して見ることができる。
【実施例１０】
【０１３７】
実施例１においては、画像表示装置に組み込まれた調光装置を説明したが、本開示の調光装置は、画像表示装置に組み込まず、独立して使用することもできる。即ち、このような本開示の調光装置７００Ａは、例えば、窓に適用することができ、模式的な断面図を図２７Ａに示すように、
外光が入光する透明な保護基板７２０、
保護基板７２０の上に形成された調光層７１０、
調光層７１０の上に形成された水分保持層７３０、及び、
水分保持層７３０の上又は上方に配設された水蒸気透過性透明基板７４０、
を備えている。ここで、図示した例では、水蒸気透過性透明基板７４０は、水分保持層７３０の上方に配設されている。また、保護基板７２０の外縁と水蒸気透過性透明基板７４０の外縁とは、例えば、シリコーンゴム系接着剤（水分透過率：２．６×１０2グラム／ｍ2・日）から成る水蒸気透過性の封止部材８０４によって封止されている。あるいは又、模式的な断面図を図２７Ｂに示すように、水蒸気透過性透明基板７４０と水分保持層７３０との間に存在する空間は、封止部材８０４に設けられた貫通孔８０５を介して外部と連通している。尚、貫通孔８０５を設ける場合、封止部材として上記の水分透過率は要求されない場合もある。あるいは又、模式的な断面図を図２８Ａに示すように、保護基板７２０の外縁と水蒸気透過性透明基板７４０の外縁とは、前述した水蒸気を透過し得る接着剤８０１を介して封止部材８０６に取り付けられている。あるいは又、模式的な断面図を図２８Ｂに示すように、水蒸気透過性透明基板７４０と水分保持層７３０との間に存在する空間は、封止部材８０６に設けられた貫通孔８０５を介して外部と連通している。このような本開示の調光装置７００Ａは、例えば、窓や、鏡、反射鏡、各種表示装置、スクリーンに適用することができる。【０１３８】
以上、本開示を好ましい実施例に基づき説明したが、本開示はこれらの実施例に限定するものではない。実施例において説明した表示装置（頭部装着型ディスプレイ）、画像表示装置、画像形成装置の構成、構造は例示であり、適宜変更することができる。例えば、導光板に表面レリーフ型ホログラム（米国特許第２００４００６２５０５Ａ１参照）を配置してもよい。光学装置にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子とすることもできる。本開示の表示装置は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。【０１３９】
導光板と調光装置とを、上述した水蒸気透過性の封止部材によって、隙間を開けて貼り合わせてもよい。【０１４０】
実施例においては、画像形成装置１１０，２１０は、単色（例えば、緑色）の画像を表示するとして説明したが、画像形成装置１１０，２１０はカラー画像を表示することもでき、この場合、光源を、例えば、赤色、緑色、青色のそれぞれを出射する光源から構成すればよい。具体的には、例えば、赤色発光素子、緑色発光素子、青色発光素子のそれぞれから出射された赤色光、緑色光及び青色光をライトパイプを用いて混色、輝度均一化を行うことで白色光を得ればよい。場合によっては、調光装置を通過する光を、調光装置によって所望の色に着色する構成とすることができ、この場合、調光装置によって着色される色を可変とすることができる。具体的には、例えば、赤色に着色される調光装置と、緑色に着色される調光装置と、青色に着色される調光装置とを積層すればよい。【０１４１】
あるいは又、第１導光板に、赤色の波長帯域（あるいは、波長）を有する光を回折反射させるホログラム回折格子から成る回折格子層から構成された回折格子部材（赤色回折格子部材）を配し、第２導光板に、緑色の波長帯域（あるいは、波長）を有する光を回折反射させるホログラム回折格子から成る回折格子層から構成された回折格子部材（緑色回折格子部材）を配し、第３導光板に、青色の波長帯域（あるいは、波長）を有する光を回折反射させるホログラム回折格子から成る回折格子層から構成された回折格子部材（青色回折格子部材）を配し、これらの第１導光板、第２導光板及び第３導光板を隙間を開けて積層する構造を採用してもよい。あるいは又、第１導光板に、赤色回折格子部材、緑色回折格子部材及び青色回折格子部材の内の１種類の回折格子部材を配し、この回折格子部材が配された第１導光板の面とは異なる面に、赤色回折格子部材、緑色回折格子部材及び青色回折格子部材の内の残り２種類の内の１種類の回折格子部材を配し、第２導光板に、赤色回折格子部材、緑色回折格子部材及び青色回折格子部材の内の残りの１種類の回折格子部材を配し、これらの第１導光板及び第２導光板を隙間を開けて積層する構造を採用してもよい。【０１４２】
調光装置における遮光率の制御は、例えば、単純マトリクス方式に基づき行うことができる。即ち、模式的な平面図を図２９に示すように、
第１電極７１１は、第１の方向に延びる複数の帯状の第１電極セグメント７１１Ａから構成されており、
第２電極７１２は、第１の方向とは異なる第２の方向に延びる複数の帯状の第２電極セグメント７１２Ａから構成されており、
第１電極セグメント７１１Ａと第２電極セグメント７１２Ａの重複領域（調光装置の遮光率が変化する最小単位領域７１０Ａ）に対応する調光装置の部分の遮光率の制御は、第１電極セグメント７１１Ａ及び第２電極セグメント７１２Ａに印加する電圧の制御に基づき行われる。第１の方向と第２の方向とは直交しており、具体的には、第１の方向は横方向（Ｘ方向）に延び、第２の方向は縦方向（Ｙ方向）に延びる。【０１４３】
尚、本開示は、以下のような構成を取ることもできる。
［Ａ０１］《画像表示装置》
（ａ）画像形成装置、
（ｂ）画像形成装置から出射された光に基づき虚像が形成される虚像形成領域を有する光学装置、及び、
（ｃ）虚像形成領域に対向して、且つ、光学装置と離間して配置され、外部から入射する外光の光量を調整する調光装置、
を備えており、
調光装置は、
（ｃ−１）外光が入光する透明な保護基板、
（ｃ−２）光学装置と対向する保護基板の面上に形成された調光層、及び、
（ｃ−３）調光層上に形成された水分保持層、
を備えている画像表示装置。
［Ａ０２］保護基板を構成する材料の水分透過率は１０-2グラム／ｍ2・日以下である［Ａ０１］に記載の画像表示装置。
［Ａ０３］調光装置は、
（ｃ−４）水分保持層の上に配設された水蒸気透過性透明基板、
を更に備えている［Ａ０１］又は［Ａ０２］に記載の画像表示装置。
［Ａ０４］水蒸気透過性透明基板を構成する材料の水分透過率は、保護基板を構成する材料の水分透過率の１０倍以上である［Ａ０３］に記載の画像表示装置。
［Ａ０５］水蒸気透過性透明基板は、ポリカーボネート樹脂、ポリエチレンテレフタレート樹脂、シクロオレフィン系樹脂、アクリレート系樹脂、ウレタン系樹脂又はスチレン系樹脂から成る［Ａ０３］又は［Ａ０４］に記載の画像表示装置。
［Ａ０６］水分保持層は、エポキシ系樹脂、ポリビニルアルコール及びポリビニルブチラールから成る群から選択された少なくとも１種類の材料から成る［Ａ０１］乃至［Ａ０５］のいずれか１項に記載の画像表示装置。
［Ａ０７］保護基板と調光層との間には、水蒸気バリア層が設けられている［Ａ０１］乃至［Ａ０６］のいずれか１項に記載の画像表示装置。
［Ａ０８］水蒸気バリア層は、酸化アルミニウム、酸化ケイ素、窒化ケイ素、酸化ニオブ、塩化ビニリデン、ポリアクリレート及びアルミニウム箔から成る群から選択された少なくとも１種類の材料から成る［Ａ０７］に記載の画像表示装置。
［Ａ０９］調光層は、エレクトロクロミック材料層を備えている［Ａ０１］乃至［Ａ０８］のいずれか１項に記載の画像表示装置。
［Ａ１０］調光層は、第１電極、エレクトロクロミック材料層及び第２電極の積層構造を有し、
エレクトロクロミック材料層は、酸化着色層、電解質層及び還元着色層の積層構造を有する［Ａ０９］に記載の画像表示装置。
［Ａ１１］保護基板は、ポリエチレンテレフタレート樹脂、ポリカーボネート樹脂又はガラスから成る［Ａ０１］乃至［Ａ１０］のいずれか１項に記載の画像表示装置。
［Ａ１２］光学装置は、
（ｂ−１）画像形成装置から入射された光が内部を全反射により伝播した後、観察者に向けて出射される導光板、
（ｂ−２）導光板に入射された光が導光板の内部で全反射されるように、導光板に入射された光を偏向する第１偏向手段、及び、
（ｂ−３）導光板の内部を全反射により伝播した光を偏向して導光板から出射させる第２偏向手段、
を備えており、
第２偏向手段によって光学装置の虚像形成領域が構成される［Ａ０１］乃至［Ａ１１］のいずれか１項に記載の画像表示装置。
［Ａ１３］表示装置の置かれた環境の照度を測定する環境照度測定センサを更に備えており、
環境照度測定センサの測定結果に基づき、調光装置の遮光率を制御する［Ａ０１］乃至［Ａ１２］のいずれか１項に記載の表示装置。
［Ａ１４］表示装置の置かれた環境の照度を測定する環境照度測定センサを更に備えており、
環境照度測定センサの測定結果に基づき、画像形成装置によって形成される画像の輝度を制御する［Ａ０１］乃至［Ａ１３］のいずれか１項に記載の表示装置。
［Ａ１５］外部環境から調光装置を透過した光に基づく照度を測定する透過光照度測定センサを更に備えており、
透過光照度測定センサの測定結果に基づき、調光装置の遮光率を制御する［Ａ０１］乃至［Ａ１４］のいずれか１項に記載の表示装置。
［Ａ１６］外部環境から調光装置を透過した光に基づく照度を測定する透過光照度測定センサを更に備えており、
透過光照度測定センサの測定結果に基づき、画像形成装置によって形成される画像の輝度を制御する［Ａ０１］乃至［Ａ１５］のいずれか１項に記載の表示装置。
［Ａ１７］透過光照度測定センサは、光学装置よりも観察者側に配置されている［Ａ１５］又は［Ａ１６］に記載の表示装置。
［Ａ１８］調光装置を通過する光は、調光装置によって所望の色に着色される［Ａ０１］乃至［Ａ１７］のいずれか１項に記載の表示装置。
［Ａ１９］調光装置によって着色される色は可変である［Ａ１８］に記載の表示装置。
［Ａ２０］調光装置によって着色される色は固定である［Ａ１８］に記載の表示装置。
［Ｂ０１］《表示装置》
（Ａ）観察者の頭部に装着されるフレーム、及び、
（Ｂ）フレームに取り付けられた画像表示装置、
を備えた表示装置であって、
画像表示装置は、
（ａ）画像形成装置、
（ｂ）画像形成装置から出射された光に基づき虚像が形成される虚像形成領域を有する光学装置、及び、
（ｃ）虚像形成領域に対向して、且つ、光学装置と離間して配置され、外部から入射する外光の光量を調整する調光装置、
を備えており、
調光装置は、
（ｃ−１）外光が入光する透明な保護基板、
（ｃ−２）光学装置と対向する保護基板の面上に形成された調光層、及び、
（ｃ−３）調光層上に形成された水分保持層、
を備えている表示装置。
［Ｂ０２］《表示装置》
（Ａ）観察者の頭部に装着されるフレーム、及び、
（Ｂ）フレームに取り付けられた画像表示装置、
を備えた表示装置であって、
画像表示装置は、［Ａ０１］乃至［Ａ２０］のいずれか１項に記載の画像表示装置から成る表示装置。
［Ｂ０３］少なくとも保護基板の縁部はフレームに固定されている［Ｂ０１］又は［Ｂ０２］に記載の表示装置。
［Ｂ０４］保護基板の縁部は、水蒸気を透過し得る接着剤を介してフレームに固定されている［Ｂ０３］に記載の表示装置。
［Ｂ０５］調光装置と光学装置との間の空間は外部と連通している［Ｂ０３］に記載の表示装置。
［Ｃ０１］《調光装置》
外光が入光する透明な保護基板、
保護基板上に形成された調光層、
調光層上に形成された水分保持層、及び、
水分保持層の上又は上方に配設された水蒸気透過性透明基板、
を備えている調光装置。
［Ｃ０２］保護基板の外縁と水蒸気透過性透明基板の外縁とは、封止部材によって封止されている［Ｃ０１］に記載の調光装置。
［Ｃ０３］水蒸気透過性透明基板は、水分保持層の上方に配設されている［Ｃ０１］又は［Ｃ０２］に記載の調光装置。
［Ｃ０４］保護基板を構成する材料の水分透過率は１０-2グラム／ｍ2・日以下である［Ｃ０１］乃至［Ｃ０３］のいずれか１項に記載の調光装置。
［Ｃ０５］水蒸気透過性透明基板を構成する材料の水分透過率は、保護基板を構成する材料の水分透過率の１０倍以上である［Ｃ０１］乃至［Ｃ０４］のいずれか１項に記載の調光装置。
［Ｃ０６］水蒸気透過性透明基板は、ポリカーボネート樹脂、ポリエチレンテレフタレート樹脂、シクロオレフィン系樹脂、アクリレート系樹脂、ウレタン系樹脂又はスチレン系樹脂から成る［Ｃ０１］乃至［Ｃ０５］のいずれか１項に記載の調光装置。
［Ｃ０７］水分保持層は、エポキシ系樹脂、ポリビニルアルコール及びポリビニルブチラールから成る群から選択された少なくとも１種類の材料から成る［Ｃ０１］乃至［Ｃ０６］のいずれか１項に記載の調光装置。
［Ｃ０８］保護基板と調光層との間には、水蒸気バリア層が設けられている［Ｃ０１］乃至［Ｃ０７］のいずれか１項に記載の調光装置。
［Ｃ０９］水蒸気バリア層は、酸化アルミニウム、酸化ケイ素、窒化ケイ素、酸化ニオブ、塩化ビニリデン、ポリアクリレート及びアルミニウム箔から成る群から選択された少なくとも１種類の材料から成る［Ｃ０８］に記載の調光装置。
［Ｃ１０］調光層は、エレクトロクロミック材料層を備えている［Ｃ０１］乃至［Ｃ０９］のいずれか１項に記載の調光装置。
［Ｃ１１］調光層は、第１電極、エレクトロクロミック材料層及び第２電極の積層構造を有し、
エレクトロクロミック材料層は、酸化着色層、電解質層及び還元着色層の積層構造を有する［Ｃ１０］に記載の調光装置。
［Ｃ１２］保護基板は、ポリエチレンテレフタレート樹脂、ポリカーボネート樹脂又はガラスから成る［Ｃ０１］乃至［Ｃ１１］のいずれか１項に記載の調光装置。
［Ｃ１３］調光装置を通過する光は、調光装置によって所望の色に着色される［Ｃ０１］乃至［Ｃ１２］のいずれか１項に記載の表示装置。
［Ｃ１４］調光装置によって着色される色は可変である［Ｃ１３］に記載の表示装置。
［Ｃ１５］調光装置によって着色される色は固定である［Ｃ１３］に記載の表示装置。
【符号の説明】
【０１４４】
１０・・・フレーム、１０’・・・ノーズパッド、１１・・・フロント部、１１’・・・リム部、１２・・・蝶番、１３・・・テンプル部、１４・・・モダン部、１５・・・配線（信号線や電源線等）、１６・・・ヘッドホン部、１６’・・・ヘッドホン部用配線、１７・・・カメラ、１８・・・制御装置（制御回路、制御手段）、１９・・・取付け部材、２０・・・観察者、２１・・・瞳、１００，２００，３００，４００，５００・・・画像表示装置、１１０，２１０・・・画像形成装置、１１１・・・有機ＥＬ表示装置、２１１，２１１Ａ，２１１Ｂ・・・光源、２１２・・・走査手段、１１３Ａ，１１３Ｂ，２１３・・・レンズ系、１１４・・・絞り、１１５，２１５・・・筐体、１２０，３２０，５２０・・・光学装置、１２１，３２１・・・導光板、１２２，３２２・・・導光板の第１面、１２３，３２３・・・導光板の第２面、３２４，３２５・・・導光板の一部分、１３０・・・第１偏向手段（第１回折格子部材）、１４０・・・第２偏向手段（第２回折格子部材、虚像形成領域）、３３０・・・第１偏向手段、３４０・・・第２偏向手段（虚像形成領域）、１５１・・・光学部材（ホログラムレンズ）、５３０Ａ，５３０Ｂ・・・半透過ミラー、６０１・・・光源、６０２・・・導光部材、６０３，６０５・・・偏光ビームスプリッター、６０４・・・液晶表示装置、６０６・・・１／４波長板、６０７・・・反射板、６１１・・・画像形成装置、６１２・・・導光部材、６１３・・・半透過ミラー、６１４・・・反射板、６２１・・・画像形成装置、６２２・・・プリズム、６２３，６２４・・・プリズム面、６２５・・・凸レンズ、７００，７００Ａ・・・調光装置、７１０・・・調光層、７１１・・・第１電極、７１２・・・第２電極、７１３・・・エレクトロクロミック材料層、７１４・・・還元着色層（ＷＯ3層）、７１５・・・電解質層（Ｔａ2Ｏ5層）、７１６・・・酸化着色層（ＩｒXＳｎ1-XＯ層）、７２０・・・保護基板（支持基板）、７２１・・・水蒸気バリア層、７２２・・・ハードコート層、７３０・・・水分保持層、７４０・・・水蒸気透過性透明基板、７５１・・・環境照度測定センサ、７５２・・・透過光照度測定センサ、７６１，７６２・・・遮光部材、８０１，８０２・・・接着剤、８０３，８０５・・・貫通孔、８０４，８０６・・・封止部材
【図１】
0006988803.tif 000002
【図２】
0006988803.tif 000003
【図３】
0006988803.tif 000004
【図４】
0006988803.tif 000005
【図５】
0006988803.tif 000006
【図６】
0006988803.tif 000007
【図７】
0006988803.tif 000008
【図８】
0006988803.tif 000009
【図９】
0006988803.tif 000010
【図１０】
0006988803.tif 000011
【図１１】
0006988803.tif 000012
【図１２】
0006988803.tif 000013
【図１３】
0006988803.tif 000014
【図１４】
0006988803.tif 000015
【図１５】
0006988803.tif 000016
【図１６】
0006988803.tif 000017
【図１７】
0006988803.tif 000018
【図１８】
0006988803.tif 000019
【図１９】
0006988803.tif 000020
【図２０】
0006988803.tif 000021
【図２１】
0006988803.tif 000022
【図２２】
0006988803.tif 000023
【図２３】
0006988803.tif 000024
【図２４】
0006988803.tif 000025
【図２５】
0006988803.tif 000026
【図２６】
0006988803.tif 000027
【図２７】
0006988803.tif 000028
【図２８】
0006988803.tif 000029
【図２９】
0006988803.tif 000030